(57)【要約】  本発明は、スケジューリング方法及びシステム、端末、送信方法、基地局及びそのスケジューリング方法を開示する。本発明で提供される基地局によるスケジューリング方法は、上りのセミパーシステントスケジューリングがアクティブ化された後、端末による上りのスケジューリング要求への応答を拒否することと、端末が上りのセミパーシステントスケジューリング周期点で送信したバッファステータスレポートを取得することと、前記バッファステータスレポートに基づいて、前記端末のサービスについてダイナミックスケジューリングを行うことと、を含む。本発明の方法によれば、上りのセミパーシステントスケジューリングサービスの安定性を向上させ、リソースの無駄遣いを減少することができる。
2017520962.tif 000002
【特許請求の範囲】
【請求項１】
上りのセミパーシステントスケジューリングがアクティブ化された後、端末による上りのスケジューリング要求への応答を拒否するステップと、
端末が上りのセミパーシステントスケジューリング周期点で送信したバッファステータスレポートを取得するステップと、
前記バッファステータスレポートに基づいて、前記端末のサービスについてダイナミックスケジューリングを行うステップと、
を含む基地局によるスケジューリング方法。
【請求項２】
上りのセミパーシステントスケジューリングが非アクティブ化された後、前記端末による上りのスケジューリング要求への応答に復帰し、前記端末にリソースを割り当てることと、
前記端末が前記リソースを介して送信したバッファステータスレポートを取得することと、
前記端末が前記リソースを介して送信したバッファステータスレポートに基づいて、前記端末のサービスについてダイナミックスケジューリングを行うことと、をさらに含む
請求項１に記載の基地局によるスケジューリング方法。
【請求項３】
端末が上りのセミパーシステントスケジューリング周期点で送信したバッファステータスレポートを取得するステップは、
前記端末が上りのセミパーシステントスケジューリング周期点でアップロードしたサービスデータパケットにより、前記バッファステータスレポートを取得すること、を含む
請求項１又は２に記載の基地局によるスケジューリング方法。
【請求項４】
上りのセミパーシステントスケジューリングがアクティブ化された後、端末が上りのセミパーシステントスケジューリング周期点で送信したバッファステータスレポートを取得するステップと、
前記バッファステータスレポートに基づいて、前記端末のサービスについてダイナミックスケジューリングを行うステップと、
を含む基地局によるスケジューリング方法。
【請求項５】
上りのセミパーシステントスケジューリングが非アクティブ化された後、前記端末による上りのスケジューリング要求に応答し、前記端末にリソースを割り当てることと、
前記端末が前記リソースを介して送信したバッファステータスレポートを取得することと、
前記端末が前記リソースを介して送信したバッファステータスレポートに基づいて、前記端末のサービスについてダイナミックスケジューリングを行うことと、をさらに含む
請求項４に記載の基地局によるスケジューリング方法。
【請求項６】
端末が上りのセミパーシステントスケジューリング周期点で送信したバッファステータスレポートを取得するステップは、
前記端末が上りのセミパーシステントスケジューリング周期点でアップロードしたサービスデータパケットにより、前記バッファステータスレポートを取得すること、を含む
請求項４又は５に記載の基地局によるスケジューリング方法。
【請求項７】
上りのセミパーシステントスケジューリングがアクティブ化された後、端末が、基地局への上りのスケジューリング要求の送信を停止するステップと、
端末が、上りのセミパーシステントスケジューリング周期点で、前記端末のバッファステータスレポートを基地局に送信するステップと、
を含む送信方法。
【請求項８】
上りのセミパーシステントスケジューリングが非アクティブ化された後、前記端末が、前記基地局への上りのスケジューリング要求の送信に復帰することと、
前記端末が、前記基地局が前記上りのスケジューリング要求に応答して前記端末に割り当てたリソースを介して、前記端末のバッファステータスレポートを前記基地局に送信することと、をさらに含む
請求項７に記載の送信方法。
【請求項９】
端末が、上りのセミパーシステントスケジューリング周期点で、前記端末のバッファステータスレポートを基地局に送信するステップは、
前記端末が、上りのセミパーシステントスケジューリング周期点で、バッファステータスレポートを、アップロードされるサービスデータパケットを介して基地局に送信すること、を含む
請求項７又は８に記載の送信方法。
【請求項１０】
上りのセミパーシステントスケジューリングがアクティブ化された後、端末が、基地局に対して上りのスケジューリング要求を行うステップと、
端末が、上りのセミパーシステントスケジューリング周期点で、前記端末のバッファステータスレポートを基地局に送信するステップと、
を含む送信方法。
【請求項１１】
上りのセミパーシステントスケジューリングが非アクティブ化された後、前記端末が、前記基地局が前記上りのスケジューリング要求に応答して前記端末に割り当てたリソースを介して、前記端末のバッファステータスレポートを前記基地局に送信すること、をさらに含む
請求項１０に記載の送信方法。
【請求項１２】
端末が、上りのセミパーシステントスケジューリング周期点で、前記端末のバッファステータスレポートを基地局に送信するステップは、
前記端末が、上りのセミパーシステントスケジューリング周期点で、バッファステータスレポートを、アップロードされるサービスデータパケットを介して基地局に送信すること、を含む
請求項１０又は１１に記載の送信方法。
【請求項１３】
上りのセミパーシステントスケジューリングがアクティブ化された後、端末が、基地局に対して上りのスケジューリング要求を行うステップと、
前記基地局が、前記端末による上りのスケジューリング要求への応答を拒否するステップと、
前記端末が、上りのセミパーシステントスケジューリング周期点で、前記端末のバッファステータスレポートを基地局に送信するステップと、
前記基地局が、前記端末から送信されたバッファステータスレポートを取得し、取得したバッファステータスレポートに基づいて、前記端末のサービスについてダイナミックスケジューリングを行うステップと、
を含むスケジューリング方法。
【請求項１４】
上りのセミパーシステントスケジューリングが非アクティブ化された後、前記基地局が、前記端末による上りのスケジューリング要求への応答に復帰し、前記端末にリソースを割り当てることと、
前記端末が、前記端末のバッファステータスレポートを、前記リソースを介して前記基地局に送信することと、
前記基地局が、前記端末が前記リソースを介して送信したバッファステータスレポートに基づいて、前記端末のサービスについてダイナミックスケジューリングを行うことと、をさらに含む
請求項１３に記載のスケジューリング方法。
【請求項１５】
端末が、上りのセミパーシステントスケジューリング周期点で、前記端末のバッファステータスレポートを基地局に送信するステップは、
前記端末が、上りのセミパーシステントスケジューリング周期点で、前記端末のバッファステータスレポートを、該周期点でアップロードされるサービスデータパケットを介して基地局に送信すること、を含む
請求項１３又は１４に記載のスケジューリング方法。
【請求項１６】
上りのセミパーシステントスケジューリングがアクティブ化された後、端末が、基地局への上りのスケジューリング要求の送信を停止するステップと、
前記端末が、上りのセミパーシステントスケジューリング周期点で、端末のバッファステータスレポートを基地局に送信するステップと、
前記基地局が、端末から送信されたバッファステータスレポートを取得し、取得した前記バッファステータスレポートに基づいて、前記端末のサービスについてダイナミックスケジューリングを行うステップと、
を含むスケジューリング方法。
【請求項１７】
上りのセミパーシステントスケジューリングが非アクティブ化された後、前記端末が、前記基地局への上りのスケジューリング要求の送信に復帰することと、
前記基地局が、前記上りのスケジューリング要求に応答し、前記端末にリソースを割り当てることと、
前記端末が、前記リソースを介して前記端末のバッファステータスレポートを基地局に送信することと、
前記基地局が、前記端末が前記リソースを介して送信したバッファステータスレポートに基づいて、前記端末のサービスについてダイナミックスケジューリングを行うことと、をさらに含む
請求項１６に記載のスケジューリング方法。
【請求項１８】
端末が、上りのセミパーシステントスケジューリング周期点で、前記端末のバッファステータスレポートを基地局に送信するステップは、
前記端末が、上りのセミパーシステントスケジューリング周期点で、前記端末のバッファステータスレポートを、該周期点でアップロードされるサービスデータパケットを介して基地局に送信すること、を含む
請求項１６又は１７に記載のスケジューリング方法。
【請求項１９】
上りのセミパーシステントスケジューリングがアクティブ化された後、端末による上りのスケジューリング要求への応答を拒否するように構成される要求応答モジュールと、
端末が上りのセミパーシステントスケジューリング周期点で送信したバッファステータスレポートを取得するように構成される情報取得モジュールと、
前記バッファステータスレポートに基づいて、前記端末のサービスについてダイナミックスケジューリングを行うように構成されるスケジューリングモジュールと、
を備える基地局。
【請求項２０】
前記要求応答モジュールは、さらに、上りのセミパーシステントスケジューリングが非アクティブ化された後、前記端末による上りのスケジューリング要求への応答に復帰し、前記端末にリソースを割り当てるように構成され、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成される
請求項１９に記載の基地局。
【請求項２１】
前記情報取得モジュールは、前記端末が上りのセミパーシステントスケジューリング周期点でアップロードしたサービスデータパケットにより、前記バッファステータスレポートを取得するように構成される
請求項１９又は２０に記載の基地局。
【請求項２２】
上りのセミパーシステントスケジューリングがアクティブ化された後、端末が上りのセミパーシステントスケジューリング周期点で送信したバッファステータスレポートを取得するように構成される情報取得モジュールと、
前記バッファステータスレポートに基づいて、前記端末のサービスについてダイナミックスケジューリングを行うように構成されるスケジューリングモジュールと、
を備える基地局。
【請求項２３】
上りのセミパーシステントスケジューリングが非アクティブ化された後、前記端末による上りのスケジューリング要求に応答し、前記端末にリソースを割り当てるように構成される要求応答モジュール、をさらに備え、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成される
請求項２２に記載の基地局。
【請求項２４】
前記情報取得モジュールは、前記端末が上りのセミパーシステントスケジューリング周期点でアップロードしたサービスデータパケットにより、前記バッファステータスレポートを取得するように構成される
請求項２２又は２３に記載の基地局。
【請求項２５】
上りのセミパーシステントスケジューリングがアクティブ化された後、基地局への上りのスケジューリング要求の送信を停止するように構成される要求モジュールと、
上りのセミパーシステントスケジューリング周期点で、バッファステータスレポートを基地局に送信するように構成される情報送信モジュールと、
を備える端末。
【請求項２６】
前記要求モジュールは、さらに、上りのセミパーシステントスケジューリングが非アクティブ化された後、前記基地局への上りのスケジューリング要求の送信に復帰するように構成され、
前記情報送信モジュールは、さらに、前記基地局が前記上りのスケジューリング要求に応答して前記端末に割り当てたリソースを介して、前記端末のバッファステータスレポートを前記基地局に送信するように構成される
請求項２５に記載の端末。
【請求項２７】
前記情報送信モジュールは、上りのセミパーシステントスケジューリング周期点で、バッファステータスレポートを、アップロードされるサービスデータパケットを介して基地局に送信するように構成される
請求項２５又は２６に記載の端末。
【請求項２８】
上りのセミパーシステントスケジューリングがアクティブ化された後、基地局に対して上りのスケジューリング要求を行うように構成される要求モジュールと、
上りのセミパーシステントスケジューリング周期点で、バッファステータスレポートを基地局に送信するように構成される情報送信モジュールと、
を備える端末。
【請求項２９】
前記情報送信モジュールは、さらに、上りのセミパーシステントスケジューリングが非アクティブ化された後、前記基地局が前記上りのスケジューリング要求に応答して前記端末に割り当てたリソースを介して、前記端末のバッファステータスレポートを前記基地局に送信するように構成される
請求項２８に記載の端末。
【請求項３０】
前記情報送信モジュールは、上りのセミパーシステントスケジューリング周期点で、バッファステータスレポートを、アップロードされるサービスデータパケットを介して基地局に送信するように構成される
請求項２８又は２９に記載の端末。
【請求項３１】
端末と、基地局とを備え、
前記端末は、
上りのセミパーシステントスケジューリングがアクティブ化された後、基地局に対して上りのスケジューリング要求を行うように構成される要求モジュールと、
上りのセミパーシステントスケジューリング周期点で、前記端末のバッファステータスレポートを基地局に送信するように構成される情報送信モジュールと、を含み、
前記基地局は、
前記端末による上りのスケジューリング要求への応答を拒否するように構成される要求応答モジュールと、
前記端末から送信されたバッファステータスレポートを取得するように構成される情報取得モジュールと、
取得したバッファステータスレポートに基づいて、前記端末のサービスについてダイナミックスケジューリングを行うように構成されるスケジューリングモジュールと、を含む
スケジューリングシステム。
【請求項３２】
前記要求応答モジュールは、さらに、上りのセミパーシステントスケジューリングが非アクティブ化された後、前記端末による上りのスケジューリング要求への応答に復帰し、前記端末にリソースを割り当てるように構成され、
前記情報送信モジュールは、さらに、前記端末のバッファステータスレポートを、前記リソースを介して前記基地局に送信するように構成される
請求項３１に記載のスケジューリングシステム。
【請求項３３】
前記情報送信モジュールは、上りのセミパーシステントスケジューリング周期点で、前記端末のバッファステータスレポートを、該周期点でアップロードされるサービスデータパケットを介して基地局に送信するように構成される
請求項３１又は３２に記載のスケジューリングシステム。
【請求項３４】
端末と、基地局とを備え、
前記端末は、
上りのセミパーシステントスケジューリングがアクティブ化された後、前記基地局への上りのスケジューリング要求の送信を停止するように構成される要求モジュールと、
上りのセミパーシステントスケジューリング周期点で、前記端末のバッファステータスレポートを基地局に送信するように構成される情報送信モジュールと、を含み、
前記基地局は、
前記端末から送信されたバッファステータスレポートを取得するように構成される情報取得モジュールと、
取得したバッファステータスレポートに基づいて、前記端末のサービスについてダイナミックスケジューリングを行うように構成されるスケジューリングモジュールと、を含む
スケジューリングシステム。
【請求項３５】
前記基地局は、要求応答モジュールをさらに含み、
前記要求モジュールは、さらに、上りのセミパーシステントスケジューリングが非アクティブ化された後、前記基地局への上りのスケジューリング要求の送信に復帰するように構成され、
前記要求応答モジュールは、前記上りのスケジューリング要求に応答し、前記端末にリソースを割り当てるように構成され、
前記情報送信モジュールは、さらに、前記リソースを介して前記端末のバッファステータスレポートを基地局に送信するように構成される
請求項３４に記載のスケジューリングシステム。
【請求項３６】
前記情報送信モジュールは、上りのセミパーシステントスケジューリング周期点で、前記端末のバッファステータスレポートを、該周期点でアップロードされるサービスデータパケットを介して基地局に送信するように構成される
請求項３４又は３５に記載のスケジューリングシステム。
【発明の詳細な説明】
【技術分野】
【０００１】
本発明は、移動通信技術分野に関し、特に、スケジューリング方法及びシステム、端末、送信方法、基地局及びそのスケジューリング方法に関する。
【背景技術】
【０００２】
現在、移動通信システムは、一般的には、共有型リソースの割り当てスケジューリング方式を用いており、無線通信リソースを最大限に利用できることがその利点である。このようなスケジューリング方式の場合、従来の回路領域の音声サービスを、データ領域のインターネット電話（ＶｏＩＰ）サービスで取って代わっている。しかし、音声ユーザの数が何となく大規模であり、共有スケジューリングのリソース割り当て方式によっては、転送するたびに関連する制御情報を送信する必要があるため、制御情報のオーバーヘッドが大きい。データパケットのサイズが比較的固定し、到達時間間隔が一定の規律を満たすようなリアルタイムサービスについて、セミパーシステントスケジューリング技術を用いることで、制御情報のオーバーヘッドを減少することができる。
【０００３】
セミパーシステントスケジューリング（Semi-persistence Scheduling、単に「ＳＰＳ」という）とは、特定したサービスのために設計されたもので、固定したタイミングで予め割り当てられたリソースを用いる一方、他のタイミングでダイナミックスケジューリング（再送）メカニズムを用いるスケジューリング方法を指す。具体的には、セミパーシステントスケジューリングを起動した後、指定したリソースブロックは、一部の周期的な、ペイロードサイズが固定したサービスに適合するように、指定したユーザに周期的に割り当てられ、これにより、リソースの割り当て、指示などの情報によるシステムのオーバーヘッドを減少する。セミパーシステントスケジューリングは、ダイナミックスケジューリング方法をデータ再送に用いるため、セミパーシステントスケジューリングと呼ばれている。一般的には、ＶｏＩＰサービスは、ＳＰＳによるスケジューリングに比較的適合している。
【０００４】
長期進化（ＬＴＥ）システムにおいて、ユーザ機器（ＵＥ）は、データを転送する有効なリソースを持っていない一方、転送予定のサービスがある場合、有効かつ法的な上り転送用リソースを求めることを目的として、積極的に基地局に対して上りのスケジューリング要求（Scheduling Request、単に「ＳＲ」という）を行うようになる。一般的には、ＵＥがＳＲを行った後、基地局は、ＵＥによるＳＲに応答し、一定のサイズのリソースをＵＥに与え、その目的は、ＵＥに自分のバッファにおける転送予定のデータ量のサイズを基地局に報告させ、つまり、バッファステータスレポート（Buffer Status reporting、単に「ＢＳＲ」という）を基地局に知らせることである。それから、基地局は、ＵＥのＢＳＲを取得した後、ＵＥをスケジューリングする。
【０００５】
上りのＳＰＳがアクティブ化された後、基地局は、特定した情報が含まれる下りの制御情報０（Downlink Control Information format０、単に「ＤＣＩ０」という）をＵＥに送信することで、セミパーシステントスケジューリングサービスをアクティブ化する。ＵＥが、セミパーシステントスケジューリングをアクティブ化するＤＣＩ０であると識別した場合、現在のスケジューリング情報を保存し、セミパーシステントスケジューリングの設定に従って、固定した周期の間隔を置いて、予め割り当てられた時間周波数リソースを用いて、セミパーシステントサービスデータを送信する。ＵＥは、非ＳＰＳ周期点で音声サービス又は他のデータサービスが突然あって、かつ、上り用の法的なリソースを持っていない場合、ＵＥはＳＲを行うようになる。このとき、特殊処理がなければ、基地局はＳＲに応答し、ＳＲのスケジューリングを行い、この場合、ＵＥは非ＳＰＳ周期点で、基地局により認定された上りリソース位置にて、データブロックをアップロードする可能性があり、ＵＥはパッケージングにあたり、優先度が上位のＶｏＩＰサービスをパッケージして、動的に認定された転送ブロックに入れて予めスケジューリングするようになり、こうすれば、次のＳＰＳのスケジューリング周期点に達するとき、ＵＥは、ＶｏＩＰデータを予めスケジューリングしたため、ＵＥのバッファに転送予定のＶｏＩＰサービスがなくなることにより、ＳＰＳ周期点でpaddingだらけ転送されることになる。そして、ＶｏＩＰが周期的なサービスであるため、ＳＲスケジューリングにより、ＶｏＩＰサービスを予めスケジューリングしたことに起因して、ＳＰＳ周期点で有効なデータがなくなり、paddingだらけ残るような場面は、周期的に発生する。これを図３に示す。
【０００６】
さらに、ＬＴＥシステムにおいて、上りのＳＰＳに暗黙的非アクティブ化のフローが含まれ、この暗黙的非アクティブ化とは、ＵＥが、連続したＮ個のＳＰＳ周期点で、それぞれ空のＳＤＵとなるデータパケットを送信した場合、自分のＳＰＳ設定をリリースし、つまり、データをアップロードするための固定した時間周波数リソースがなくなったことをいう。ＳＰＳにおけるＳＲスケジューリングと上りのＳＰＳの暗黙的非アクティブ化を結合して分かるように、ＳＰＳがアクティブ化された後、基地局がＳＲに応答すれば、ＵＥにおける頻繁な暗黙的非アクティブ化とアクティブ化を招くおそれがあり、上りのＳＰＳサービスの安定性にもある程度影響を与えている。そして、ＳＲに応答したことから、ある程度、リソースの無駄遣いになる。
【発明の概要】
【発明が解決しようとする課題】
【０００７】
本発明は、関連技術において、上りのセミパーシステントスケジューリングサービスの安定性が劣り、リソースの無駄遣いが発生する問題を少なくとも解決するように、スケジューリング方法及びシステム、端末、送信方法、基地局及びそのスケジューリング方法を提供する。
【課題を解決するための手段】
【０００８】
上記課題を解決するために、本発明によれば、
上りのセミパーシステントスケジューリングがアクティブ化された後、端末による上りのスケジューリング要求への応答を拒否するステップと、
端末が上りのセミパーシステントスケジューリング周期点で送信したバッファステータスレポートを取得するステップと、
前記バッファステータスレポートに基づいて、前記端末のサービスについてダイナミックスケジューリングを行うステップと、を含む基地局によるスケジューリング方法が提供される。
【０００９】
オプションとして、前記方法は、
上りのセミパーシステントスケジューリングが非アクティブ化された後、前記端末による上りのスケジューリング要求への応答に復帰し、前記端末にリソースを割り当てることと、
前記端末が前記リソースを介して送信したバッファステータスレポートを取得することと、
前記端末が前記リソースを介して送信したバッファステータスレポートに基づいて、前記端末のサービスについてダイナミックスケジューリングを行うことと、をさらに含んでもよい。
【００１０】
オプションとして、端末が上りのセミパーシステントスケジューリング周期点で送信したバッファステータスレポートを取得するステップは、前記端末が上りのセミパーシステントスケジューリング周期点でアップロードしたサービスデータパケットにより、前記バッファステータスレポートを取得すること、を含んでもよい。
【００１１】
また、上記課題を解決するために、本発明によれば、
上りのセミパーシステントスケジューリングがアクティブ化された後、端末が上りのセミパーシステントスケジューリング周期点で送信したバッファステータスレポートを取得するステップと、
前記バッファステータスレポートに基づいて、前記端末のサービスについてダイナミックスケジューリングを行うステップと、を含む他の基地局によるスケジューリング方法がさらに提供される。
【００１２】
オプションとして、前記方法は、
上りのセミパーシステントスケジューリングが非アクティブ化された後、前記端末による上りのスケジューリング要求に応答し、前記端末にリソースを割り当てることと、
前記端末が前記リソースを介して送信したバッファステータスレポートを取得することと、
前記端末が前記リソースを介して送信したバッファステータスレポートに基づいて、前記端末のサービスについてダイナミックスケジューリングを行うことと、をさらに含んでもよい。
【００１３】
オプションとして、端末が上りのセミパーシステントスケジューリング周期点で送信したバッファステータスレポートを取得するステップは、前記端末が上りのセミパーシステントスケジューリング周期点でアップロードしたサービスデータパケットにより、前記バッファステータスレポートを取得すること、を含んでもよい。
【００１４】
また、上記課題を解決するために、本発明によれば、
上りのセミパーシステントスケジューリングがアクティブ化された後、端末が、基地局への上りのスケジューリング要求の送信を停止するステップと、
端末が、上りのセミパーシステントスケジューリング周期点で、前記端末のバッファステータスレポートを基地局に送信するステップと、を含む送信方法がさらに提供される。
【００１５】
オプションとして、前記方法は、
上りのセミパーシステントスケジューリングが非アクティブ化された後、前記端末が、前記基地局への上りのスケジューリング要求の送信に復帰することと、
前記端末が、前記基地局が前記上りのスケジューリング要求に応答して前記端末に割り当てたリソースを介して、前記端末のバッファステータスレポートを前記基地局に送信することと、をさらに含んでもよい。
【００１６】
オプションとして、前記端末が、上りのセミパーシステントスケジューリング周期点で、前記端末のバッファステータスレポートを基地局に送信するステップは、前記端末が、上りのセミパーシステントスケジューリング周期点で、バッファステータスレポートを、アップロードされるサービスデータパケットを介して基地局に送信すること、を含んでもよい。
【００１７】
また、上記課題を解決するために、本発明によれば、
上りのセミパーシステントスケジューリングがアクティブ化された後、端末が、基地局に対して上りのスケジューリング要求を行うステップと、
端末が、上りのセミパーシステントスケジューリング周期点で、前記端末のバッファステータスレポートを基地局に送信するステップと、を含む他の送信方法がさらに提供される。
【００１８】
オプションとして、前記方法は、上りのセミパーシステントスケジューリングが非アクティブ化された後、前記端末が、前記基地局が前記上りのスケジューリング要求に応答して前記端末に割り当てたリソースを介して、前記端末のバッファステータスレポートを前記基地局に送信すること、をさらに含んでもよい。
【００１９】
オプションとして、端末が、上りのセミパーシステントスケジューリング周期点で、前記端末のバッファステータスレポートを基地局に送信するステップは、前記端末が、上りのセミパーシステントスケジューリング周期点で、バッファステータスレポートを、アップロードされるサービスデータパケットを介して基地局に送信すること、を含んでもよい。
【００２０】
また、上記課題を解決するために、本発明によれば、
上りのセミパーシステントスケジューリングがアクティブ化された後、端末が、基地局に対して上りのスケジューリング要求を行うステップと、
前記基地局が、前記端末による上りのスケジューリング要求への応答を拒否するステップと、
前記端末が、上りのセミパーシステントスケジューリング周期点で、前記端末のバッファステータスレポートを基地局に送信するステップと、
前記基地局が、前記端末から送信されたバッファステータスレポートを取得し、取得したバッファステータスレポートに基づいて、前記端末のサービスについてダイナミックスケジューリングを行うステップと、を含むスケジューリング方法がさらに提供される。
【００２１】
オプションとして、前記方法は、
上りのセミパーシステントスケジューリングが非アクティブ化された後、前記基地局が、前記端末による上りのスケジューリング要求への応答に復帰し、前記端末にリソースを割り当てることと、
前記端末が、前記端末のバッファステータスレポートを、前記リソースを介して前記基地局に送信することと、
前記基地局が、端末が前記リソースを介して送信したバッファステータスレポートに基づいて、前記端末のサービスについてダイナミックスケジューリングを行うことと、をさらに含んでもよい。
【００２２】
オプションとして、端末が、上りのセミパーシステントスケジューリング周期点で、前記端末のバッファステータスレポートを基地局に送信するステップは、前記端末が、上りのセミパーシステントスケジューリング周期点で、前記端末のバッファステータスレポートを、該周期点でアップロードされるサービスデータパケットを介して基地局に送信すること、を含んでもよい。
【００２３】
また、上記課題を解決するために、本発明によれば、
上りのセミパーシステントスケジューリングがアクティブ化された後、端末が、基地局への上りのスケジューリング要求の送信を停止するステップと、
前記端末が、上りのセミパーシステントスケジューリング周期点で、端末のバッファステータスレポートを基地局に送信するステップと、
前記基地局が、端末から送信されたバッファステータスレポートを取得し、取得した前記バッファステータスレポートに基づいて、前記端末のサービスについてダイナミックスケジューリングを行うステップと、を含む他のスケジューリング方法がさらに提供される。
【００２４】
オプションとして、前記方法は、
上りのセミパーシステントスケジューリングが非アクティブ化された後、前記端末が、前記基地局への上りのスケジューリング要求の送信に復帰することと、
前記基地局が、前記上りのスケジューリング要求に応答し、前記端末にリソースを割り当てることと、
前記端末が、前記リソースを介して前記端末のバッファステータスレポートを基地局に送信することと、
前記基地局が、前記端末が前記リソースを介して送信したバッファステータスレポートに基づいて、前記端末のサービスについてダイナミックスケジューリングを行うことと、をさらに含んでもよい。
【００２５】
オプションとして、端末が、上りのセミパーシステントスケジューリング周期点で、端末のバッファステータスレポートを基地局に送信するステップは、
前記端末が、上りのセミパーシステントスケジューリング周期点で、前記端末のバッファステータスレポートを、該周期点でアップロードされるサービスデータパケットを介して基地局に送信すること、を含んでもよい。
【００２６】
また、上記課題を解決するために、本発明によれば、
上りのセミパーシステントスケジューリングがアクティブ化された後、端末による上りのスケジューリング要求への応答を拒否するように構成される要求応答モジュールと、
端末が上りのセミパーシステントスケジューリング周期点で送信したバッファステータスレポートを取得するように構成される情報取得モジュールと、
前記バッファステータスレポートに基づいて、前記端末のサービスについてダイナミックスケジューリングを行うように構成されるスケジューリングモジュールと、を備える基地局がさらに提供される。
【００２７】
オプションとして、前記要求応答モジュールは、さらに、上りのセミパーシステントスケジューリングが非アクティブ化された後、前記端末による上りのスケジューリング要求への応答に復帰し、前記端末にリソースを割り当てるように構成され、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成されてもよい。
【００２８】
オプションとして、前記情報取得モジュールは、前記端末が上りのセミパーシステントスケジューリング周期点でアップロードしたサービスデータパケットにより、前記バッファステータスレポートを取得するように構成されてもよい。
【００２９】
また、上記課題を解決するために、本発明によれば、
上りのセミパーシステントスケジューリングがアクティブ化された後、端末が上りのセミパーシステントスケジューリング周期点で送信したバッファステータスレポートを取得するように構成される情報取得モジュールと、
前記バッファステータスレポートに基づいて、前記端末のサービスについてダイナミックスケジューリングを行うように構成されるスケジューリングモジュールと、を備える他の基地局がさらに提供される。
【００３０】
オプションとして、前記基地局は、
上りのセミパーシステントスケジューリングが非アクティブ化された後、前記端末による上りのスケジューリング要求に応答し、前記端末にリソースを割り当てるように構成される要求応答モジュール、をさらに備え、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成されてもよい。
【００３１】
オプションとして、前記情報取得モジュールは、前記端末が上りのセミパーシステントスケジューリング周期点でアップロードしたサービスデータパケットにより、前記バッファステータスレポートを取得するように構成されてもよい。
【００３２】
また、上記課題を解決するために、本発明によれば、
上りのセミパーシステントスケジューリングがアクティブ化された後、基地局への上りのスケジューリング要求の送信を停止するように構成される要求モジュールと、
上りのセミパーシステントスケジューリング周期点で、端末のバッファステータスレポートを基地局に送信するように構成される情報送信モジュールと、を備える端末がさらに提供される。
【００３３】
オプションとして、前記要求モジュールは、さらに、上りのセミパーシステントスケジューリングが非アクティブ化された後、前記基地局への上りのスケジューリング要求の送信に復帰するように構成され、
前記情報送信モジュールは、さらに、前記基地局が前記上りのスケジューリング要求に応答して前記端末に割り当てたリソースを介して、前記端末のバッファステータスレポートを前記基地局に送信するように構成されてもよい。
【００３４】
オプションとして、前記情報送信モジュールは、上りのセミパーシステントスケジューリング周期点で、バッファステータスレポートを、アップロードされるサービスデータパケットを介して基地局に送信するように構成されてもよい。
【００３５】
また、上記課題を解決するために、本発明によれば、
上りのセミパーシステントスケジューリングがアクティブ化された後、基地局に対して上りのスケジューリング要求を行うように構成される要求モジュールと、
上りのセミパーシステントスケジューリング周期点で、端末のバッファステータスレポートを基地局に送信するように構成される情報送信モジュールと、を備える他の端末がさらに提供される。
【００３６】
オプションとして、前記情報送信モジュールは、さらに、上りのセミパーシステントスケジューリングが非アクティブ化された後、前記基地局が前記上りのスケジューリング要求に応答して前記端末に割り当てたリソースを介して、前記端末のバッファステータスレポートを前記基地局に送信するように構成されてもよい。
【００３７】
オプションとして、前記情報送信モジュールは、上りのセミパーシステントスケジューリング周期点で、バッファステータスレポートを、アップロードされるサービスデータパケットを介して基地局に送信するように構成されてもよい。
【００３８】
また、上記課題を解決するために、本発明によれば、端末と、基地局とを備えるスケジューリングシステムであって、
前記端末は、
上りのセミパーシステントスケジューリングがアクティブ化された後、基地局に対して上りのスケジューリング要求を行うように構成される要求モジュールと、
上りのセミパーシステントスケジューリング周期点で、前記端末のバッファステータスレポートを基地局に送信するように構成される情報送信モジュールと、を含み、
前記基地局は、
前記端末による上りのスケジューリング要求への応答を拒否するように構成される要求応答モジュールと、
前記端末から送信されたバッファステータスレポートを取得するように構成される情報取得モジュールと、
取得したバッファステータスレポートに基づいて、前記端末のサービスについてダイナミックスケジューリングを行うように構成されるスケジューリングモジュールと、を含むスケジューリングシステムがさらに提供される。
【００３９】
オプションとして、前記要求応答モジュールは、さらに、上りのセミパーシステントスケジューリングが非アクティブ化された後、前記端末による上りのスケジューリング要求への応答に復帰し、前記端末にリソースを割り当てるように構成され、
前記情報送信モジュールは、さらに、前記端末のバッファステータスレポートを、前記リソースを介して前記基地局に送信するように構成されてもよい。
【００４０】
オプションとして、前記情報送信モジュールは、上りのセミパーシステントスケジューリング周期点で、前記端末のバッファステータスレポートを、該周期点でアップロードされるサービスデータパケットを介して基地局に送信するように構成されてもよい。
【００４１】
また、上記課題を解決するために、本発明によれば、
上りのセミパーシステントスケジューリングがアクティブ化された後、前記基地局への上りのスケジューリング要求の送信を停止するように構成される要求モジュールと、
上りのセミパーシステントスケジューリング周期点で、前記端末のバッファステータスレポートを基地局に送信するように構成される情報送信モジュールと、を含む端末と、
前記端末から送信されたバッファステータスレポートを取得するように構成される情報取得モジュールと、
取得したバッファステータスレポートに基づいて、前記端末のサービスについてダイナミックスケジューリングを行うように構成されるスケジューリングモジュールと、を含む基地局と、を備える他のスケジューリングシステムがさらに提供される。
【００４２】
オプションとして、前記要求モジュールは、さらに、上りのセミパーシステントスケジューリングが非アクティブ化された後、前記基地局への上りのスケジューリング要求の送信に復帰するように構成され、
前記基地局は、前記上りのスケジューリング要求に応答し、前記端末にリソースを割り当てるように構成される要求応答モジュール、をさらに含み、
前記情報送信モジュールは、さらに、前記リソースを介して前記端末のバッファステータスレポートを基地局に送信するように構成されてもよい。
【００４３】
オプションとして、前記情報送信モジュールは、上りのセミパーシステントスケジューリング周期点で、前記端末のバッファステータスレポートを、該周期点でアップロードされるサービスデータパケットを介して基地局に送信するように構成されてもよい。
【発明の効果】
【００４４】
本発明は以下の有益な効果を有する。
【００４５】
本発明は、上りのセミパーシステントスケジューリングサービスの安定性を向上させ、リソースの無駄遣いを減少することができるスケジューリング方法及びシステム、端末、送信方法、基地局及びそのスケジューリング方法を提供する。本発明の基地局によるスケジューリング方法は、上りのセミパーシステントスケジューリングがアクティブ化された後、端末による上りのスケジューリング要求への応答を拒否することと、端末が上りのセミパーシステントスケジューリング周期点で送信したバッファステータスレポートを取得することと、前記バッファステータスレポートに基づいて、前記端末のサービスについてダイナミックスケジューリングを行うことと、を含む。本発明のスケジューリング方法によれば、上りのセミパーシステントスケジューリングがアクティブ化された後、端末が上りのセミパーシステントスケジューリング周期点で送信したＢＳＲを取得し、ＢＳＲに基づいてダイナミックスケジューリングを行うことにより、上りのセミパーシステントスケジューリング周期点でない周期点でＳＲ応答を行うことに起因して、ＵＥが空となるデータパケットを送信する問題を回避し、上りのセミパーシステントスケジューリングサービスの安定性を向上させ、また、上りのセミパーシステントスケジューリングがアクティブ化された後、ＳＲ応答を行わなくなるため、システムのリソースを節約することができる。本発明の方法は、従来に比べ、上りのセミパーシステントスケジューリングサービスの品質を向上させている。
【図面の簡単な説明】
【００４６】
【図１】本発明の実施例１で提供される基地局によるスケジューリング方法のフローを示す図である。
【図２】本発明の実施例１で提供される基地局によるスケジューリング方法における上りのＳＰＳが非アクティブ化された後のフローを示す図である。
【図３】本発明の実施例１で提供される基地局が上りのＳＰＳをアクティブ化した後の動作を示す図である。
【図４】本発明の実施例２で提供される基地局が上りのＳＰＳをアクティブ化した後の動作を示す図である。
【図５】本発明の実施例２で提供される他の基地局が上りのＳＰＳをアクティブ化した後の動作を示す図である。
【図６】本発明の実施例３で提供される基地局が上りのＳＰＳをアクティブ化した後の動作を示す図である。
【図７】本発明の実施例４で提供される基地局によるスケジューリング方法のフローを示す図である。
【図８】本発明の実施例４で提供される基地局が上りのＳＰＳをアクティブ化した後の動作を示す図である。
【図９】本発明の実施例５で提供される送信方法のフローを示す図である。
【図１０】本発明の実施例６で提供される送信方法のフローを示す図である。
【図１１】本発明の実施例６で提供される上りのＳＰＳがアクティブ化された後のＵＥの動作を示す図である。
【図１２】本発明の実施例７で提供されるスケジューリング方法のフローを示す図である。
【図１３】本発明の実施例８で提供されるスケジューリング方法のフローを示す図である。
【図１４】本発明の実施例９で提供される基地局の構成を示す図である。
【図１５】本発明の実施例９で提供される他の基地局の構成を示す図である。
【図１６】本発明の実施例１０で提供される端末の構成を示す図である。
【図１７】本発明の実施例１１で提供されるスケジューリングシステムの構成を示す図である。
【図１８】本発明の実施例１１で提供される他のスケジューリングシステムの構成を示す図である。
【発明を実施するための形態】
【００４７】
従来の上りのＳＰＳにおいて、非ＳＰＳ周期点でＳＲ応答を行うと、上りのＳＰＳサービスの不安定やリソースの無駄遣いの問題を招くため、本発明は、上りのセミパーシステントスケジューリングサービスの安定性を向上させ、リソースの無駄遣いを減少することができるスケジューリング方法及びシステム、端末、送信方法、基地局及びそのスケジューリング方法を提供する。本発明は、上りのＳＰＳがアクティブ化された後、非周期点でＳＲ応答やＢＳＲ情報送信を行わずに、ＳＰＳ周期点でＢＳＲを基地局に送信することをその主旨とし、上りのＳＰＳがアクティブ化された後、ＳＲ応答を行わずに、ＳＰＳ周期点でＢＳＲを送信するため、サービスの送信を実現するとともに、上記課題を回避することができる。
【００４８】
以下、具体的な実施形態を通じて、図面を参照しながら本発明をさらに詳しく説明する。
【００４９】
（実施例１）
図１に示すように、本実施例にて基地局によるスケジューリング方法が提供され、具体的には、以下のステップ１０１〜ステップ１０３を含む。
【００５０】
ステップ１０１：上りのセミパーシステントスケジューリングがアクティブ化された後、端末による上りのスケジューリング要求への応答を拒否する。
【００５１】
本実施例にて、基地局は、下りの制御情報ＤＣＩ０をＵＥへ送信することで上りのセミパーシステントスケジューリングをアクティブ化する。上りのＳＰＳがアクティブ化された後、端末は、必要なとき（例えば、ＳＲ周期点に達したとき、或いは、他にデータが突然送られてくるとき）に基地局に対してＳＲを行うようになる。本実施例の方法では、上りのＳＰＳがアクティブ化された後、ＳＲを行った端末に応答しなくなる。
【００５２】
ステップ１０２：端末が上りのセミパーシステントスケジューリング周期点で送信したバッファステータスレポートを取得する。
【００５３】
上りのＳＰＳがアクティブ化された後、他にデータサービスがある場合、従来技術によれば、一般、基地局に対してリソースを要求するＳＲを行い、具体的には、基地局がＳＲ要求に応答して、端末にＢＳＲをアップロードするリソースを割り当て、そして、ＢＳＲに基づいてこれらのデータサービスをスケジューリングする。これに対し、本実施例の方法によれば、スケジューリングの安定性を保証するために、ＳＲ応答によってＢＳＲを取得する方式を用いずに、上りのＳＰＳ周期点で端末が積極的にＢＳＲを基地局に送信するようにし、本実施例にて、ＢＳＲを上りのＳＰＳ周期点で送信する理由は、上りのＳＰＳにおける周期点で、端末が、予め割り当てられた時間周波数リソースを用いて優先度が上位のＶｏＩＰサービスパケットを基地局にアップロードすることにより、基地局がＢＳＲを受信して端末のスケジューリングを行った後、端末は優先度が上位のサービスパケットを基地局にアップロードすることに起因して、ＳＰＳ周期点でpaddingだらけ転送されることを回避し、上りのＳＰＳサービスの安定性を向上させることにある。本実施例にて、上りのＳＰＳ周期点は、予め設定された上りのＳＰＳの設定情報によって決められる。予め設定された設定情報に、間隔が固定した周期と予め割り当てられた時間周波数リソースとが含まれ、上りのＳＰＳがアクティブ化された後、端末は、間隔が固定した周期点で、予め割り当てられた時間周波数リソースを用いてサービスデータを送信する。
【００５４】
好ましくは、本実施例のスケジューリング方法では、ＢＳＲを、上りのＳＰＳ周期点でアップロードされたサービスデータパケットに携帯させて基地局に送信することができる。このため、本実施例の基地局によるスケジューリング方法によれば、前記端末が上りのセミパーシステントスケジューリング周期点でアップロードしたサービスデータパケットにより、前記バッファステータスレポートを取得することができる。
【００５５】
ステップ１０３：前記バッファステータスレポートに基づいて、前記端末のサービスについてダイナミックスケジューリングを行う。
【００５６】
具体的には、基地局は、ＢＳＲに基づいて、端末にサービスデータをアップロードするリソースブロックを動的に割り当て、端末は、基地局により割り当てられたリソースブロックを用いて、端末内のサービスデータを基地局に送信する。
【００５７】
本実施例のスケジューリング方法によると、上りのセミパーシステントスケジューリングサービスがアクティブ化された後の安定性を向上させ、上りのスケジューリングリソースの無駄遣いを回避し、上りのセミパーシステントスケジューリングサービスの品質をできる限り保証することができる。
【００５８】
上りのＳＰＳが非アクティブ化された後、即ち、上りのＳＰＳ設定が失効した後、一般的には、ＵＥは、連続したＮ個の上りのＳＰＳ周期点でそれぞれ空となるデータパケットを送信した場合、自分のＳＰＳ設定をリリースし、つまり、データをアップロードするための固定した時間周波数リソースがなくなり、この場合、上りのＳＰＳが非アクティブ化され、或いは、ＵＥは、他の非アクティブ化条件を満たす場合、上りのＳＰＳ設定をリリースし、即ち、非アクティブ化される。基地局にＳＲへの応答を拒否する状態が依然として保存されていれば、データサービスを正常に転送できなくなる。以上を考慮して、本実施例の方法は、以下のステップ２０１〜ステップ２０３をさらに含んでもよい。
【００５９】
ステップ２０１：上りのセミパーシステントスケジューリングが非アクティブ化された後、前記端末による上りのスケジューリング要求への応答に復帰し、前記端末にリソースを割り当てる。
【００６０】
上りのＳＰＳが非アクティブ化された後、基地局は、端末で発したＳＲに応答し始め、端末にリソースを割り当てることにより、端末がＢＳＲを基地局に送信することができる。
【００６１】
ステップ２０２：前記端末が前記リソースを介して送信したバッファステータスレポートを取得する。
【００６２】
ステップ２０３：前記端末が前記リソースを介して送信したバッファステータスレポートに基づいて、前記端末のサービスについてダイナミックスケジューリングを行う。
【００６３】
以下、本実施例の方法を各場面にて具体的に実施する過程について説明する。
【００６４】
場面１：図３に示すように、用意条件として、ＦＤＤにおいて、基地局のＲＲＣ層によってＱＣＩ１のＳＰＳパラメータが設定されておき、上りのＳＰＳ周期を２０ｍｓとし、パケットが連続して空になる回数を３とする。基地局のＭＡＣ層は、０番の無線フレームにおける０番のサブフレームで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレームにおける４番のサブフレームで、２０ｍｓの間隔を置き、ＳＰＳ周期点で、固定した周波数領域リソースを用いて上りのデータ転送を行う。ＳＲ周期を１０ｍｓに設定し、オフセットを６とする。ＵＥの第１パケットのＳＰＳデータには、有効なＢＳＲ情報が含まれていない。該場面において、２番の無線フレームにおける４番のサブフレームが次のＳＰＳ周期点となるため、ＵＥは次のＳＰＳ周期点で、ＢＳＲを第２パケットのＳＰＳデータに携帯させて基地局に送信することができ、基地局はＢＳＲを受信した後、動的な調整を行う。基地局のＭＡＣが上りのセミパーシステントスケジューリングをアクティブ化した後の動作過程は、以下のステップである。
【００６５】
ステップ１：基地局のＭＡＣは、０番の無線フレームにおける６番のサブフレームで、ＵＥによるＳＲを受け取る。
【００６６】
ステップ２：基地局のＭＡＣは、０番の無線フレームにおける６番のサブフレームで、ＵＥのＳＲをＳＲ応答キューに加えず、基地局は、０番の無線フレームにおける６番のサブフレームから２番の無線フレームにおける４番のサブフレームまでに、ダイナミックスケジューリングを行わない。
【００６７】
ステップ３：基地局のＭＡＣは、１番の無線フレームにおける６番のサブフレームで、ＵＥによるＳＲを受け取る。
【００６８】
ステップ４：基地局のＭＡＣは、１番の無線フレームにおける６番のサブフレームで、ＵＥのＳＲをＳＲ応答キューに加えず、基地局は、１番の無線フレームにおける６番のサブフレームから２番の無線フレームにおける４番のサブフレームまでに、ダイナミックスケジューリングを行わない。
【００６９】
該場面において、基地局のＭＡＣは、ＵＥが２番の無線フレームにおける４番のサブフレームで送信したサービスデータパケットを取得し、該データパケットにＢＳＲが携帯されてもよい。それから、ＢＳＲに基づいて端末のサービスについてダイナミックスケジューリングを行う。
【００７０】
場面２にて、用意条件として、ＦＤＤにおいて、基地局のＲＲＣ層によってＱＣＩ１のＳＰＳパラメータが設定されておき、上りのＳＰＳ周期を２０ｍｓとし、パケットが連続して空になる回数を３とする。基地局のＭＡＣ層は、０番の無線フレームにおける０番のサブフレームで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレームにおける４番のサブフレームで、２０ｍｓの間隔を置き、ＳＰＳ周期点で、固定した周波数領域リソースを用いて上りのデータ転送を行う。ＳＲ周期を２０ｍｓに設定し、オフセットを６とする。ＵＥの第１パケットのＳＰＳデータには、有効なＢＳＲ情報が含まれていない。該場面において、２番の無線フレームにおける４番のサブフレームが次のＳＰＳ周期点となるため、ＵＥは次のＳＰＳ周期点で、ＢＳＲを第２パケットのＳＰＳデータに携帯させて基地局に送信することができ、基地局はＢＳＲを受信した後、動的な調整を行う。基地局のＭＡＣが上りのセミパーシステントスケジューリングをアクティブ化した後の過程は、図３を参照して、以下のステップである。
【００７１】
ステップ１：基地局のＭＡＣは、０番の無線フレームにおける６番のサブフレームで、ＵＥによるＳＲを受け取る。
【００７２】
ステップ２：基地局のＭＡＣは、０番の無線フレームにおける６番のサブフレームで、ＵＥのＳＲをＳＲ応答キューに加えず、基地局は、０番の無線フレームにおける６番のサブフレームから２番の無線フレームにおける４番のサブフレームまでに、ダイナミックスケジューリングを行わない。
【００７３】
同様に、該場面において、基地局は、ＵＥが２番の無線フレームにおける４番のサブフレームで報告したＢＳＲを取得し、そして、ＢＳＲに基づいて端末に対してダイナミックスケジューリングを行うことができる。
【００７４】
場面３：用意条件として、ＦＤＤにおいて、基地局のＲＲＣ層によってＱＣＩ１のＳＰＳパラメータが設定されておき、上りのＳＰＳ周期を２０ｍｓとし、パケットが連続して空になる回数を３とする。基地局のＭＡＣ層は、０番の無線フレームにおける０番のサブフレームで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレームにおける４番のサブフレームで、２０ｍｓの間隔を置き、ＳＰＳ周期点で、固定した周波数領域リソースを用いて上りのデータ転送を行う。ＳＲ周期を５ｍｓに設定し、オフセットを１とする。ＵＥの第１パケットのＳＰＳデータには、有効なＢＳＲ情報が含まれていない。該場面において、２番の無線フレームにおける４番のサブフレームが次の上りのＳＰＳ周期点となるため、ＵＥは次のＳＰＳ周期点で、ＢＳＲを第２パケットのＳＰＳデータに携帯させて基地局に送信することができ、基地局はＢＳＲを受信した後、動的な調整を行う。
【００７５】
ステップ１：基地局のＭＡＣは、０番の無線フレームにおける１番のサブフレームで、ＵＥによるＳＲを受け取る。
【００７６】
ステップ２：基地局のＭＡＣは、０番の無線フレームにおける１番のサブフレームで、ＵＥのＳＲをＳＲ応答キューに加えず、基地局は、０番の無線フレームにおける１番のサブフレームから２番の無線フレームにおける４番のサブフレームまでに、ダイナミックスケジューリングを行わない。
【００７７】
ステップ３：基地局のＭＡＣは、０番の無線フレームにおける６番のサブフレームで、ＵＥによるＳＲを受け取る。
【００７８】
ステップ４：基地局のＭＡＣは、０番の無線フレームにおける６番のサブフレームで、ＵＥのＳＲをＳＲ応答キューに加えず、基地局は、０番の無線フレームにおける６番のサブフレームから２番の無線フレームにおける４番のサブフレームまでに、ダイナミックスケジューリングを行わない。
【００７９】
ステップ５：基地局のＭＡＣは、１番の無線フレームにおける１番のサブフレームで、ＵＥによるＳＲを受け取る。
【００８０】
ステップ６：基地局のＭＡＣは、１番の無線フレームにおける１番のサブフレームで、ＵＥのＳＲをＳＲ応答キューに加えず、基地局は、１番の無線フレームにおける１番のサブフレームから２番の無線フレームにおける４番のサブフレームまでに、ダイナミックスケジューリングを行わない。
【００８１】
ステップ７：基地局のＭＡＣは、１番の無線フレームにおける６番のサブフレームで、ＵＥによるＳＲを受け取る。
【００８２】
ステップ８：基地局のＭＡＣは、１番の無線フレームにおける６番のサブフレームで、ＵＥのＳＲをＳＲ応答キューに加えず、基地局は、１番の無線フレームにおける６番のサブフレームから２番の無線フレームにおける４番のサブフレームまでに、ダイナミックスケジューリングを行わない。
【００８３】
ステップ９：基地局のＭＡＣは、２番の無線フレームにおける１番のサブフレームで、ＵＥによるＳＲを受け取る。
【００８４】
ステップ１０：基地局のＭＡＣは、２番の無線フレームにおける１番のサブフレームで、ＵＥのＳＲをＳＲ応答キューに加えず、基地局は、２番の無線フレームにおける１番のサブフレームから２番の無線フレームにおける４番のサブフレームまでに、ダイナミックスケジューリングを行わない。
【００８５】
該場面において、基地局のＭＡＣは、２番の無線フレームにおける４番のサブフレームで、ＵＥの報告したＢＳＲを取得し、そして、ＢＳＲに基づいて端末に対してダイナミックスケジューリングを行うことができる。
【００８６】
（実施例２）
本実施例にて本発明の方法を具体的な場面に応用することを詳しく説明する。本実施例において、ＵＥは、上りのセミパーシステントスケジューリングがアクティブ化された後、ＳＲを行う一方、基地局は、ＳＲへの応答は行わない。
【００８７】
用意条件として、ＦＤＤにおいて、基地局のＲＲＣ層によってＱＣＩ１のＳＰＳパラメータが設定されておき、上りのＳＰＳ周期を４０ｍｓとし、パケットが連続して空になる回数を３とする。基地局のＭＡＣ層は、０番の無線フレームにおける０番のサブフレームで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレームにおける４番のサブフレームで、４０ｍｓの間隔を置き、ＳＰＳ周期点で、固定した周波数領域リソースを用いて上りのデータ転送を行う。ＳＲ周期を５ｍｓに設定し、オフセットを１とする。ＵＥの第１パケットのＳＰＳデータには、有効なＢＳＲ情報が含まれている。図４に示すように、本実施例のスケジューリング方法を適用した基地局の該場面における動作過程は、以下のステップを含む。
【００８８】
ステップ１：基地局のＭＡＣは、０番の無線フレームにおける６番のサブフレームで、ＵＥによるＳＲを受け取る。
【００８９】
ステップ２：基地局のＭＡＣは、０番の無線フレームにおける６番のサブフレームで、ＵＥのＳＲをＳＲ応答キューに加えず、基地局は、ＵＥが０番の無線フレームにおける４番のサブフレームで報告したＢＳＲ情報を取得する。
【００９０】
ステップ３：基地局のＭＡＣは、０番の無線フレームにおける８番のサブフレームでＤＣＩ０を送り出し、スケジューリングの目標値がステップ２で取得したＢＳＲのサイズとなるダイナミックスケジューリングを行う。ＢＳＲのスケジューリングを現在のサブフレームで完了したとする。
【００９１】
ステップ４：基地局のＭＡＣは、１番の無線フレームにおける１番のサブフレームで、ＵＥによるＳＲを受け取る。
【００９２】
ステップ５：基地局のＭＡＣは、１番の無線フレームにおける１番のサブフレームで、ＵＥのＳＲをＳＲ応答キューに加えず、基地局は、１番の無線フレームにおける１番のサブフレームから４番の無線フレームにおける４番のサブフレームまでに、ダイナミックスケジューリングを行わない。
【００９３】
ステップ６：基地局のＭＡＣは、１番の無線フレームにおける６番のサブフレームで、ＵＥによるＳＲを受け取る。
【００９４】
ステップ７：基地局のＭＡＣは、１番の無線フレームにおける６番のサブフレームで、ＵＥのＳＲをＳＲ応答キューに加えず、基地局は、１番の無線フレームにおける６番のサブフレームから４番の無線フレームにおける４番のサブフレームまでに、ダイナミックスケジューリングを行わない。
【００９５】
ステップ８：基地局のＭＡＣは、２番の無線フレームにおける１番のサブフレームで、ＵＥによるＳＲを受け取る。
【００９６】
ステップ９：基地局のＭＡＣは、２番の無線フレームにおける１番のサブフレームで、ＵＥのＳＲをＳＲ応答キューに加えず、基地局は、２番の無線フレームにおける１番のサブフレームから４番の無線フレームにおける４番のサブフレームまでに、ダイナミックスケジューリングを行わない。
【００９７】
ステップ１０：基地局のＭＡＣは、２番の無線フレームにおける６番のサブフレームで、ＵＥによるＳＲを受け取る。
【００９８】
ステップ１１：基地局のＭＡＣは、２番の無線フレームにおける６番のサブフレームで、ＵＥのＳＲをＳＲ応答キューに加えず、基地局は、２番の無線フレームにおける６番のサブフレームから４番の無線フレームにおける４番のサブフレームまでに、ダイナミックスケジューリングを行わない。
【００９９】
ステップ１２：基地局のＭＡＣは、３番の無線フレームにおける１番のサブフレームで、ＵＥによるＳＲを受け取る。
【０１００】
ステップ１３：基地局のＭＡＣは、３番の無線フレームにおける１番のサブフレームで、ＵＥのＳＲをＳＲ応答キューに加えず、基地局は、３番の無線フレームにおける１番のサブフレームから４番の無線フレームにおける４番のサブフレームまでに、ダイナミックスケジューリングを行わない。
【０１０１】
或いはまた、ステップ１２：基地局のＭＡＣは、３番の無線フレームにおける６番のサブフレームで、ＵＥによるＳＲを受け取る。
【０１０２】
ステップ１３：基地局のＭＡＣは、３番の無線フレームにおける６番のサブフレームで、ＵＥのＳＲをＳＲ応答キューに加えず、基地局は、３番の無線フレームにおける６番のサブフレームから４番の無線フレームにおける４番のサブフレームまでに、ダイナミックスケジューリングを行わない。
【０１０３】
或いはまた、ステップ１２：基地局のＭＡＣは、４番の無線フレームにおける１番のサブフレームで、ＵＥによるＳＲを受け取る。
【０１０４】
ステップ１３：基地局のＭＡＣは、４番の無線フレームにおける１番のサブフレームで、ＵＥのＳＲをＳＲ応答キューに加えず、基地局は、４番の無線フレームにおける１番のサブフレームから４番の無線フレームにおける４番のサブフレームまでに、ダイナミックスケジューリングを行わない。
【０１０５】
図５に示すように、本実施例にて、他の応用場面として、ＴＤＤにおいて、上りのサブフレームと下りのサブフレームの比率が１であり、ＤＳＵＵＤＤＳＵＵＤである。基地局のＲＲＣ層によってＱＣＩ１のＳＰＳパラメータが設定されておき、上りのＳＰＳ周期を２０ｍｓとし、二重周期をオフにし、パケットが連続して空になる回数を３とする。基地局のＭＡＣ層は、０番の無線フレーム１Ｓで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレーム７Ｕで、２０ｍｓの間隔を置き、ＳＰＳ周期点で、固定した周波数領域リソースを用いて上りのデータ転送を行う。ＳＲ周期を５ｍｓに設定し、オフセットを３とする。ＵＥの第１パケットのＳＰＳデータには、有効なＢＳＲ情報が含まれていない。該場面における上りのセミパーシステントスケジューリングのステップを図５に示す。基地局は、２番の無線フレーム７Ｕ以前では、ＳＲへの応答及び動的な調整を一切行わない。その理由は、本発明による方法の場合、ＳＰＳ周期点でしかＢＳＲを基地局へ送信しないからである。
【０１０６】
また、本実施例におけるダイナミックスケジューリングのためのＤＣＩフォーマットについて、以上ではＤＣＩ０フォーマットのみを説明したが、ＤＣＩ０に限定されず、例えば、ＤＣＩ４をさらに含む。
【０１０７】
（実施例３）
本実施例にて、上りのセミパーシステントスケジューリングが非アクティブ化された後の本発明のスケジューリング方法の具体的なプロセスを説明する。
【０１０８】
該場面にて、用意条件として、ＦＤＤにおいて、基地局のＲＲＣ層によってＱＣＩ１のＳＰＳパラメータが設定されておき、上りのＳＰＳ周期を２０ｍｓとし、パケットが連続して空になる回数を３とする。基地局のＭＡＣ層は、０番の無線フレームにおける０番のサブフレームで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレームにおける４番のサブフレームで、２０ｍｓの間隔を置き、ＳＰＳ周期点で、固定した周波数領域リソースを用いて上りのデータ転送を行う。ＳＲ周期を１０ｍｓに設定し、オフセットを１とする。ＵＥの第１パケットのＳＰＳデータには、有効なＢＳＲ情報が含まれていない。本実施例の上りのセミパーシステントスケジューリング方法を用いて該場面におけるスケジューリングを行うプロセスを図６に示す。
【０１０９】
ステップ１：基地局のＭＡＣは、０番の無線フレームにおける６番のサブフレームで、ＵＥによるＳＲを受け取る。
【０１１０】
ステップ２：基地局のＭＡＣは、０番の無線フレームにおける６番のサブフレームで、ＵＥのＳＲをＳＲ応答キューに加えず、基地局は、０番の無線フレームにおける６番のサブフレームから２番の無線フレームにおける４番のサブフレームまでに、ダイナミックスケジューリングを行わない。
【０１１１】
ステップ３：基地局のＭＡＣは、１番の無線フレームにおける６番のサブフレームで、ＵＥによるＳＲを受け取る。
【０１１２】
ステップ４：基地局のＭＡＣは、１番の無線フレームにおける６番のサブフレームで、ＵＥのＳＲをＳＲ応答キューに加えず、基地局は、１番の無線フレームにおける６番のサブフレームから２番の無線フレームにおける４番のサブフレームまでに、ダイナミックスケジューリングを行わない。
【０１１３】
ステップ５：基地局のＭＡＣは、３番の無線フレームにおける８番のサブフレームで、上りの非アクティブ化ＳＰＳ  ＤＣＩ０を発し、ＵＥは、現在のＴＴＩで上りのＳＰＳ設定をリリースする。
【０１１４】
ステップ６：基地局のＭＡＣは、４番の無線フレームにおける６番のサブフレームで、ＵＥによるＳＲを受け取る。
【０１１５】
ステップ７：基地局のＭＡＣは、４番の無線フレームにおける６番のサブフレームで、該ＳＲをＳＲ応答スケジューリングキューに加えるとともに、５番の無線フレームにおける０番のサブフレームで、ダイナミックスケジューリングを起動し、ＳＲのＤＣＩ０に応答する。これを図４に示す。
【０１１６】
なお、ＦＤＤにおける他のＳＰＳ、ＳＲに関する様々な周期オフセットの組合せは、いずれも上記ＦＤＤのルールに適合している。ＴＤＤにおける他の比率や様々なＳＰＳ、ＳＲに関する周期オフセットの組合せは、いずれもＴＤＤのルールを満たしている。ＴＤＤにおいて、二重周期をイネーブルにする場合、上記ＴＤＤのルールに従うかもしれない。
【０１１７】
また、本実施例におけるダイナミックスケジューリングのためのＤＣＩフォーマットについて、以上ではＤＣＩ０フォーマットのみを説明したが、ＤＣＩ０に限定されず、例えば、ＤＣＩ４をさらに含む。
【０１１８】
（実施例４）
図７に示すように、本実施例にて基地局によるスケジューリング方法が提供され、以下のステップ７０１〜ステップ７０２を含む。
【０１１９】
ステップ７０１：上りのセミパーシステントスケジューリングがアクティブ化された後、端末が上りのセミパーシステントスケジューリング周期点で送信したバッファステータスレポートを取得する。
【０１２０】
本実施例にて、基地局は、下りの制御情報ＤＣＩ０をＵＥへ送信することで上りのセミパーシステントスケジューリングをアクティブ化する。上りのＳＰＳがアクティブ化された後、端末は、基地局に対してＳＲを行わなくなる。このため、本実施例における基地局は、ＳＲを受信することができないとともに、ＳＲ端末への応答もしない。
【０１２１】
上りのＳＰＳがアクティブ化された後、他にデータサービスがある場合、従来技術において、一般、基地局に対してリソースを要求するＳＲを行い、具体的には、基地局がＳＲ要求に応答して、端末にＢＳＲをアップロードするリソースを割り当て、そして、ＢＳＲに基づいてこれらのデータサービスをスケジューリングする。これに対し、本実施例において、端末はＳＲを行わなくなるため、サービスデータを正常に送信することを保証するために、本実施例にて、基地局は、端末が上りのセミパーシステントスケジューリング周期点で送信したバッファステータスレポートを取得し、そしてＢＳＲに基づいてダイナミックスケジューリングを行うことができ、このようにして、上りのＳＰＳがアクティブ化された後、他のデータサービスを転送するためにＳＲ応答を行うことに起因するサービスの不安定やリソースの無駄遣いの問題を回避する。本実施例にて、上りのＳＰＳ周期点は、予め設定された上りのＳＰＳの設定情報によって決められる。予め設定された設定情報に、間隔が固定した周期と予め割り当てられた時間周波数リソースとが含まれ、上りのＳＰＳがアクティブ化された後、端末は、間隔が固定した周期点で、予め割り当てられた時間周波数リソースを用いてサービスデータを送信する。
【０１２２】
好ましくは、本実施例のスケジューリング方法では、ＢＳＲを、上りのＳＰＳ周期点でアップロードされたサービスデータパケットに携帯させて基地局に送信することができる。このため、本実施例の基地局によるスケジューリング方法によれば、前記端末が上りのセミパーシステントスケジューリング周期点でアップロードしたサービスデータパケットにより、前記バッファステータスレポートを取得することができる。
【０１２３】
ステップ７０２：前記バッファステータスレポートに基づいて、前記端末のサービスについてダイナミックスケジューリングを行う。
【０１２４】
本実施例のスケジューリング方法によると、上りのセミパーシステントスケジューリングサービスがアクティブ化された後の安定性を向上させ、上りのスケジューリング用リソースの無駄遣いを回避し、上りのセミパーシステントスケジューリングサービスの品質をできる限り保証することができる。
【０１２５】
上りのＳＰＳ設定が失効した後、即ち、ＳＰＳが非アクティブ化された後、基地局は、ＳＲをいつまでも受信できなければ、データサービスを正常に転送できなくなることを考慮して、本実施例の方法は、
上りのセミパーシステントスケジューリングが非アクティブ化された後、前記端末による上りのスケジューリング要求への応答に復帰し、前記端末にリソースを割り当てることと、
前記端末が前記リソースを介して送信したバッファステータスレポートを取得することと、
前記端末が前記リソースを介して送信したバッファステータスレポートに基づいて、前記端末のサービスについてダイナミックスケジューリングを行うことと、をさらに含んでもよい。
【０１２６】
以下、本実施例に係る基地局によるスケジューリング方法を実際の通信場面に具体的に適用することについて説明する。
【０１２７】
該場面にて、用意条件として、ＦＤＤにおいて、基地局のＲＲＣ層によってＱＣＩ１のＳＰＳパラメータが設定されておき、上りのＳＰＳ周期を４０ｍｓとし、パケットが連続して空になる回数を３とする。基地局のＭＡＣ層は、０番の無線フレームにおける０番のサブフレームで、上りのセミパーシステントスケジューリングをアクティブ化するＤＣＩ０情報をＵＥへ送信するとともに、ＵＥは、このサブフレームで上りのＳＰＳのアクティブ化を成功に行い、その後、ＵＥは、０番の無線フレームにおける４番のサブフレームで、４０ｍｓの間隔を置き、ＳＰＳ周期点で、固定した周波数領域リソースを用いて上りのデータ転送を行う。ＳＲ周期を５ｍｓに設定し、オフセットを１とする。ＵＥの第１パケットのＳＰＳデータには、有効なＢＳＲ情報が含まれている。図８に示すように、本実施例のスケジューリング方法を用いた基地局の該場面における動作過程は、以下のステップを含む。
【０１２８】
ステップ１：ＳＲ周期に達したとき、ＵＥは、アクティブ化された後、ＳＲを行わなくなるため、基地局のＭＡＣは、０番の無線フレームにおける６番のサブフレームでＳＲを受信することができず、ＳＲへの応答はしない。
【０１２９】
ステップ２：基地局のＭＡＣは、ＵＥが０番の無線フレームにおける４番のサブフレームで報告したＢＳＲ情報を取得する。
【０１３０】
ステップ３：基地局のＭＡＣは、０番の無線フレームにおける８番のサブフレームでＤＣＩ０を送り出し、スケジューリングの目標値がステップ２で取得したＢＳＲのサイズとなるダイナミックスケジューリングを行う。ＢＳＲのスケジューリングを現在のサブフレームで完了したとする。
【０１３１】
ステップ４：スケジューリングを完了した後、基地局のＭＡＣは、ＳＲを受信できるようになる。即ち、１番の無線フレームにおける１番のサブフレームで、１番の無線フレームにおける６番のサブフレームで、２番の無線フレームにおける１番のサブフレームで、２番の無線フレームにおける６番のサブフレームで、３番の無線フレームにおける１番のサブフレームで、３番の無線フレームにおける６番のサブフレームで、４番の無線フレームにおける１番のサブフレームで、それぞれＳＲを受信することができない。
【０１３２】
本実施例の場面において、後の過程で上りのＳＰＳが非アクティブ化された後、基地局のＭＡＣは、ＳＲを受信することができ、そして、ＳＲへ応答しＢＳＲを取得した後、ダイナミックスケジューリングを行う。
【０１３３】
（実施例５）
上記実施例１における基地局によるスケジューリング方法に対応して、本実施例にて送信方法が提供され、図９に示すように、以下のステップ９０１〜ステップ９０２を含む。
【０１３４】
ステップ９０１：上りのセミパーシステントスケジューリングがアクティブ化された後、端末は、基地局に対して上りのスケジューリング要求を行う。
【０１３５】
本実施例において、端末は、上りのＳＰＳがアクティブ化されたと検出した後、予め割り当てられた時間周波数リソースを用いてサービスデータパケットを基地局にアップロードし、新たなサービスが送られてくる、或いはＳＲ周期に達したとき、端末は、基地局に対してＳＲを行い、ＢＳＲをアップロードするようにリソースを要求する。しかし、本発明にて、ＳＲ応答を回避する必要があるため、端末はどのようなＳＲを送信しても、基地局は一切応答せず、非周期点でのＳＲ応答に起因する問題を回避する。
【０１３６】
ステップ９０２：端末は、上りのセミパーシステントスケジューリング周期点で、前記端末のバッファステータスレポートを基地局に送信する。
【０１３７】
本実施例において、端末は、予め設定された上りのＳＰＳ周期点で、ＢＳＲを、基地局にダイナミックスケジューリングを行わせるように送信することができ、本実施例にてＢＳＲを上りのＳＰＳ周期点で送信する理由は、上りのＳＰＳにおける周期点で、端末が、予め割り当てられた時間周波数リソースを用いて優先度が上位のＶｏＩＰサービスパケットを基地局にアップロードすることにより、基地局がＢＳＲを受信して端末のスケジューリングを行った後、端末が優先度が上位のサービスパケットを基地局にアップロードすることに起因して、ＳＰＳ周期点でpaddingだらけ転送されることを回避し、上りのＳＰＳサービスの安定性を向上させることにある。
【０１３８】
端末は、もとより上りのＳＰＳ周期点でサービスデータパケットをアップロードする必要があるため、該サービスデータパケットにＢＳＲを携帯させて、即ち、上りのセミパーシステントスケジューリング周期点で、バッファステータスレポートを、アップロードされるサービスデータパケットを介して基地局に送信することができる。
【０１３９】
上りのＳＰＳが非アクティブ化された後、つまり、上りのＳＰＳ設定が失効した後、データサービスを正常に転送できることを考慮して、本実施例の方法は、
上りのセミパーシステントスケジューリングが非アクティブ化された後、前記基地局が前記上りのスケジューリング要求に応答して前記端末に割り当てたリソースを介して、前記端末のバッファステータスレポートを前記基地局に送信すること、をさらに含んでもよい。
【０１４０】
本実施例において、上りのＳＰＳが非アクティブ化された後、端末は、端末のＳＲへの応答によりＢＳＲを基地局にアップロードすることができ、上りのＳＰＳが非アクティブ化された後、データを正常に転送できるように保証する。
【０１４１】
本実施例の送信方法の具体的な説明について、上記図３，４と６におけるＳＲと周期的データパケットの送信内容を参照することができる。
【０１４２】
（実施例６）
上記実施例４に記載した基地局によるスケジューリング方法に対応して、本実施例にて送信方法が提供され、図１０に示すように、以下のステップ１００１〜ステップ１００２を含む。
【０１４３】
ステップ１００１：上りのセミパーシステントスケジューリングがアクティブ化された後、端末は、基地局への上りのスケジューリング要求の送信を停止する。
【０１４４】
本実施例において、端末は、基地局が上りのＳＰＳをアクティブ化したと検出した後、基地局に対してＳＲを行わなくなるため、基地局はＳＲを受信することができず、ＳＲへの応答もしない。
【０１４５】
ステップ１００２：端末は、上りのセミパーシステントスケジューリング周期点で、前記端末のバッファステータスレポートを基地局に送信する。
【０１４６】
上りのＳＰＳがアクティブ化された後、他にデータサービスがあれば、従来技術において、一般、基地局に対して、ＢＳＲを送信するリソースを要求するようにＳＲを行い、そして、ＢＳＲに基づいてこれらのデータサービスをスケジューリングする。しかし、本実施例において、端末がＳＲを行わなくなるため、サービスデータを正常に転送することを保証するために、本実施例にて、ＳＰＳ周期点でＢＳＲを、基地局にダイナミックスケジューリングを行わせるように送信することができる。
【０１４７】
本実施例の送信方法を上りのＳＰＳに適用することで、上りのＳＰＳがアクティブ化された後、サービスの安定性が劣り、リソースの無駄遣いが発生する問題を解決することができる。
【０１４８】
端末は、もとより上りのＳＰＳ周期点でサービスデータパケットをアップロードする必要があるため、該サービスデータパケットにＢＳＲを携帯させて、即ち、上りのセミパーシステントスケジューリング周期点で、バッファステータスレポートを、アップロードされるサービスデータパケットを介して基地局に送信することができる。
【０１４９】
上りのＳＰＳが非アクティブ化された後、即ち、上りのＳＰＳ設定が失効した後、基地局がＳＲをいつまでも受信できなければ、データサービスの正常な転送ができなくなることを考慮して、本実施例の方法は、
上りのセミパーシステントスケジューリングが非アクティブ化された後、前記基地局への上りのスケジューリング要求の送信に復帰することと、
前記基地局が前記上りのスケジューリング要求に応答して前記端末に割り当てたリソースを介して、前記端末のバッファステータスレポートを前記基地局に送信することと、をさらに含んでもよい。
【０１５０】
以下、本実施例の方法を具体的な場面に応用し、本実施例の端末側の動作を説明する。
【０１５１】
該場面にて、用意条件として、ＳＰＳ機能をサポートするＵＥがＱＣＩ１サービス、つまりＶｏＩＰを確立する。ＵＥが、基地局側からの再設定シグナリングを受信した後、２０ｍｓとなるＳＰＳ周期と、５ｍｓとなるＳＲ周期と、６となるＳＲオフセットとを取得する。図１１を参照し、該場面におけるスケジューリング過程は、以下を含む。
【０１５２】
ステップ１：ＵＥは、０番の無線フレームにおける０番のサブフレームで、ＳＰＳのアクティブ化のためのＤＣＩ０情報を検出し、該サブフレームでＳＰＳ設定をアクティブ化する。
【０１５３】
ステップ２：ＵＥは、０番の無線フレームにおける４番のサブフレームで、第１パケットのＳＰＳ周期を新たに転送する。
【０１５４】
ステップ３：ＵＥのＳＲ周期に達したが、ＵＥはＳＲを送信しない。
【０１５５】
ステップ４：ＵＥは、２番の無線フレームにおける４番のサブフレームで、第２パケットのＳＰＳ周期を新たに転送する。
【０１５６】
ステップ５：ＵＥは、３番の無線フレームにおける５番のサブフレームで、ＳＰＳの暗黙的非アクティブ化条件を満たしていれば、或いは、現在のサブフレームで、基地局からのＳＰＳの非アクティブ化のためのＤＣＩ０情報を検出していれば、ＳＰＳ設定をリリースする。
【０１５７】
ステップ６：ＵＥは、４番の無線フレームにおける６番のサブフレームでＳＲを行う。
【０１５８】
ステップ７：ＵＥは、４番の無線フレームにおける９番のサブフレームで、基地局からのダイナミックスケジューリングのためのＤＣＩ０情報を検出した。
【０１５９】
本発明にて１つのみのＵＥ側の場面実施例を説明したが、本発明は該実施例のみに限定されず、他の場面実施例をさらに含んでもよいことは、理解されるべきである。
【０１６０】
また、本実施例におけるダイナミックスケジューリングのためのＤＣＩフォーマットについて、以上ではＤＣＩ０フォーマットのみを説明したが、ＤＣＩ０に限定されず、例えば、ＤＣＩ４をさらに含む。また、ＳＰＳの非アクティブ化のためのＤＣＩフォーマットは、一般的には、ＤＣＩ０に限定される。
【０１６１】
（実施例７）
図１２に示すように、本実施例にて上りのＳＰＳに適用されるスケジューリング方法が提供され、以下のステップ１２１〜ステップ１２４を含む。
【０１６２】
ステップ１２１：上りのセミパーシステントスケジューリングがアクティブ化された後、端末は、基地局に対して上りのスケジューリング要求を行う。
【０１６３】
本実施例において、基地局は、下りの制御情報ＤＣＩ０をＵＥへ送信することで、上りのセミパーシステントスケジューリングをアクティブ化することができる。
【０１６４】
ステップ１２２：前記基地局は、前記端末による上りのスケジューリング要求への応答を拒否する。
【０１６５】
本実施例において、基地局は、上りのＳＰＳがアクティブ化された後、ＳＲを行わなくなる。
【０１６６】
ステップ１２３：前記端末は、上りのセミパーシステントスケジューリング周期点で、前記端末のバッファステータスレポートを基地局に送信する。
【０１６７】
好ましくは、本実施例のスケジューリング方法において、前記端末は、上りのセミパーシステントスケジューリング周期点で、前記端末のバッファステータスレポートを、該周期点でアップロードされるサービスデータパケットを介して基地局に送信する。即ち、ＢＳＲを、上りのＳＰＳ周期点でアップロードされたサービスデータパケットに携帯させるようにする。
【０１６８】
ステップ１２４：前記基地局は、前記端末から送信されたバッファステータスレポートを取得し、取得したバッファステータスレポートに基づいて、前記端末のサービスについてダイナミックスケジューリングを行う。
【０１６９】
本実施例のスケジューリング方法によると、上りのセミパーシステントスケジューリングがアクティブ化された後、ＳＲ応答を行わなくなるとともに、ＢＳＲを上りのセミパーシステントスケジューリング周期点で送信することにより、上りのセミパーシステントスケジューリング周期点でない周期点でＳＲ応答を行うことに起因して、ＵＥが空となるデータパケットを送信する問題を回避し、上りのセミパーシステントスケジューリングサービスの安定性を向上させ、また、上りのセミパーシステントスケジューリングがアクティブ化された後、ＳＲ応答を行わなくなるため、システムのリソースを節約することができる。本発明の方法は、従来に比べ、上りのセミパーシステントスケジューリングサービスの品質を向上させている。
【０１７０】
上りのＳＰＳが非アクティブ化された後、即ち、上りのＳＰＳ設定が失効した後、基地局にＳＲへの応答を拒否する状態が依然として保存されていれば、データサービスを正常に転送できなくなることを考慮して、本実施例の方法は、
上りのセミパーシステントスケジューリングが非アクティブ化された後、前記基地局は、前記端末による上りのスケジューリング要求への応答に復帰し、前記端末にリソースを割り当てることと、
前記端末は、前記端末のバッファステータスレポートを前記リソースを介して前記基地局に送信することと、
前記基地局は、端末が前記リソースを介して送信したバッファステータスレポートに基づいて、前記端末のサービスについてダイナミックスケジューリングを行うことと、をさらに含んでもよい。
【０１７１】
本実施例の方法によると、上りのＳＰＳが非アクティブ化された後、ＳＲ応答を復活することにより、上りのデータを正常に転送するように保証することができる。
【０１７２】
本実施例の方法の各ステップに関する詳細な説明は、上記実施例における基地局と端末の動作に関する説明を参照することができ、ここではその説明を省略する。
【０１７３】
（実施例８）
図１３に示すように、本実施例にて上りのＳＰＳに適用されるスケジューリング方法が提供され、以下のステップ１３１〜ステップ１３３を含む。
【０１７４】
ステップ１３１：上りのセミパーシステントスケジューリングがアクティブ化された後、前記端末は、基地局への上りのスケジューリング要求の送信を停止する。
【０１７５】
本実施例において、基地局は、下りの制御情報ＤＣＩ０をＵＥへ送信することで、上りのセミパーシステントスケジューリングをアクティブ化することができる。アクティブ化された後、端末はＳＲを送信しなくなる。
【０１７６】
ステップ１３２：前記端末は、上りのセミパーシステントスケジューリング周期点で、端末のバッファステータスレポートを基地局に送信する。
【０１７７】
好ましくは、本実施例のスケジューリング方法において、前記端末は、上りのセミパーシステントスケジューリング周期点で、前記端末のバッファステータスレポートを、該周期点でアップロードされるサービスデータパケットを介して基地局に送信する。即ち、ＢＳＲを、上りのＳＰＳ周期点でアップロードされたサービスデータパケットに携帯させるようにする。
【０１７８】
ステップ１３３：前記基地局は、前記端末から送信されたバッファステータスレポートを取得し、取得した前記バッファステータスレポートに基づいて、前記端末のサービスについてダイナミックスケジューリングを行う。
【０１７９】
本実施例のスケジューリング方法によると、上りのセミパーシステントスケジューリングがアクティブ化された後、上りのＳＲを行わなくなり、基地局もＳＲ応答を行わなくなり、端末はＢＳＲを上りのセミパーシステントスケジューリング周期点で送信し、これにより、上りのセミパーシステントスケジューリング周期点でない周期点でＳＲ応答を行うことに起因して、ＵＥが空となるデータパケットを送信する問題を回避し、上りのセミパーシステントスケジューリングサービスの安定性を向上させ、また、上りのセミパーシステントスケジューリングがアクティブ化された後、ＳＲ応答を行わなくなるため、システムのリソースを節約することができる。本発明の方法は、従来に比べ、上りのセミパーシステントスケジューリングサービスの品質を向上させている。
【０１８０】
上りのＳＰＳが非アクティブ化された後、基地局にＳＲへの応答を拒否する状態が依然として保存されていれば、データサービスを正常に転送できなくなることを考慮して、本実施例の方法は、
上りのセミパーシステントスケジューリングが非アクティブ化された後、前記端末は、前記基地局への上りのスケジューリング要求の送信に復帰することと、
前記基地局は、前記上りのスケジューリング要求に応答し、前記端末にリソースを割り当てることと、
前記端末は、前記リソースを介して前記端末のバッファステータスレポートを基地局に送信することと、
前記基地局は、前記端末が前記リソースを介して送信したバッファステータスレポートに基づいて、前記端末のサービスについてダイナミックスケジューリングを行うことと、をさらに含んでもよい。
【０１８１】
本実施例の方法によると、上りのＳＰＳが非アクティブ化された後、ＳＲ応答を復活することにより、上りのデータを正常に転送するように保証することができる。
【０１８２】
本実施例の方法の各ステップに関する詳細な説明は、上記実施例における基地局と端末の動作に関する説明を参照することができ、ここではその説明を省略する。
【０１８３】
（実施例９）
図１４に示すように、本実施例にて、要求応答モジュールと、情報取得モジュールと、スケジューリングモジュールと、を備える基地局が提供される。
【０１８４】
前記要求応答モジュールは、上りのセミパーシステントスケジューリングがアクティブ化された後、端末による上りのスケジューリング要求への応答を拒否するように構成され、
前記情報取得モジュールは、端末が上りのセミパーシステントスケジューリング周期点で送信したバッファステータスレポートを取得するように構成され、
前記スケジューリングモジュールは、前記バッファステータスレポートに基づいて、前記端末のサービスについてダイナミックスケジューリングを行うように構成される。
【０１８５】
本実施例の基地局は、ＳＰＳがアクティブ化された後、端末によるＳＲへ応答しなくなるとともに、端末がＳＰＳ周期点で送信したＢＳＲを取得してダイナミックスケジューリングを行うことにより、非ＳＰＳ周期点でＳＲ応答を行うことに起因するサービスの不安定問題を回避し、サービスの品質を向上させる。
【０１８６】
好ましくは、前記要求応答モジュールは、さらに、上りのセミパーシステントスケジューリングが非アクティブ化された後、前記端末による上りのスケジューリング要求への応答に復帰し、前記端末にリソースを割り当てるように構成され、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成される。
【０１８７】
好ましくは、前記情報取得モジュールは、前記端末が上りのセミパーシステントスケジューリング周期点でアップロードしたサービスデータパケットにより、前記バッファステータスレポートを取得するように構成される。
【０１８８】
本実施例において、上述したモジュールの機能、例えば、要求応答モジュール、情報取得モジュール、及びスケジューリングモジュールの機能を実現することは、機能プログラムコマンドに関連するハードウェアにより完成することができる。プログラムを基地局の読み出し可能な記憶媒体に記憶することができ、プロセッサは、記憶媒体におけるプログラムコマンドを呼び出して上述したモジュールの機能を実現する。例えば、プロセッサは、メモリにおけるプログラムを呼び出して、上りのセミパーシステントスケジューリングがアクティブ化された後、端末による上りのスケジューリング要求への応答を拒否する機能を実行する（他のモジュールの機能を、これに類似して実現するため、ここではその説明を省略する）。本実施例における記憶媒体は、ＲＯＭ、ＲＡＭ、磁気ディスク又は光ディスクなど、プログラムコマンドを記憶可能な様々な媒体を含む。
【０１８９】
図１５に示すように、本実施例にて情報取得モジュールと、スケジューリングモジュールと、を備える他の基地局がさらに提供される。
【０１９０】
前記情報取得モジュールは、上りのセミパーシステントスケジューリングがアクティブ化された後、端末が上りのセミパーシステントスケジューリング周期点で送信したバッファステータスレポートを取得するように構成され、
前記スケジューリングモジュールは、前記バッファステータスレポートに基づいて、前記端末のサービスについてダイナミックスケジューリングを行うように構成される。
【０１９１】
図１５に記載の基地局は、上りのＳＰＳがアクティブ化された後、ＳＲを受信できなくなり、ＳＲ応答も行わないとともに、端末がＳＰＳ周期点で送信したＢＳＲを取得してダイナミックスケジューリングを行うことにより、非ＳＰＳ周期点でＳＲ応答を行うことに起因するサービスの不安定問題を回避し、サービスの品質を向上させる。
【０１９２】
好ましくは、図１４を参照し、本実施例の基地局は、図１５に示すものに加えて、
上りのセミパーシステントスケジューリングが非アクティブ化された後、前記端末による上りのスケジューリング要求に応答し、前記端末にリソースを割り当てるように構成される要求応答モジュールをさらに備えてもよく、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成される。
【０１９３】
本実施例の基地局は、非アクティブ化された後、サービスデータを正常に転送するように保護することができる。
【０１９４】
好ましくは、本実施例において、前記情報取得モジュールは、前記端末が上りのセミパーシステントスケジューリング周期点でアップロードしたサービスデータパケットにより、前記バッファステータスレポートを取得するように構成される。
【０１９５】
本実施例において、上述したモジュールの機能、例えば、要求応答モジュール、情報取得モジュール、及びスケジューリングモジュールの機能を実現することは、機能プログラムコマンドに関連するハードウェアにより完成することができる。プログラムを基地局の読み出し可能な記憶媒体に記憶することができ、プロセッサは、記憶媒体におけるプログラムコマンドを呼び出して上述したモジュールの機能を実現する。例えば、プロセッサは、メモリにおけるプログラムを呼び出して、上りのセミパーシステントスケジューリングがアクティブ化された後、端末による上りのスケジューリング要求への応答を拒否する機能を実行する（他のモジュールの機能を、これに類似して実現するため、ここではその説明を省略する）。本実施例における記憶媒体は、ＲＯＭ、ＲＡＭ、磁気ディスク又は光ディスクなど、プログラムコマンドを記憶可能な様々な媒体を含む。
【０１９６】
本実施例における基地局の各モジュールの機能の具体的な説明について、上述した実施例で説明した基地局側の動作を参照することができる。
【０１９７】
（実施例１０）
図１６に示すように、本実施例にて要求モジュールと、情報送信モジュールとを備える端末が提供される。
【０１９８】
前記要求モジュールは、上りのセミパーシステントスケジューリングがアクティブ化された後、基地局への上りのスケジューリング要求の送信を停止するように構成され、
前記情報送信モジュールは、上りのセミパーシステントスケジューリング周期点で、前記端末のバッファステータスレポートを基地局に送信するように構成される。
【０１９９】
本実施例の端末は、上りのＳＰＳがアクティブ化された後、ＳＲ応答によるＢＳＲの取得をしないように基地局に合わせることができ、これにより、非ＳＰＳ周期点でＳＲ応答を行うことに起因するサービスの不安定問題を回避し、サービスの品質を向上させる。
【０２００】
好ましくは、本実施例において、前記要求モジュールは、さらに、上りのセミパーシステントスケジューリングが非アクティブ化された後、前記基地局への上りのスケジューリング要求の送信に復帰するように構成され、前記情報送信モジュールは、さらに、前記基地局が前記上りのスケジューリング要求に応答して前記端末に割り当てたリソースを介して、前記端末のバッファステータスレポートを前記基地局に送信するように構成される。
【０２０１】
好ましくは、前記情報送信モジュールは、上りのセミパーシステントスケジューリング周期点で、バッファステータスレポートを、アップロードされるサービスデータパケットを介して基地局に送信するように構成される。
【０２０２】
上記図１６を参照し、本実施例にて、要求モジュールと、情報送信モジュールと、を備える他の端末がさらに提供される。
【０２０３】
前記要求モジュールは、上りのセミパーシステントスケジューリングがアクティブ化された後、基地局に対して上りのスケジューリング要求を行うように構成され、
前記情報送信モジュールは、上りのセミパーシステントスケジューリング周期点で、前記端末のバッファステータスレポートを基地局に送信するように構成される。
【０２０４】
本実施例において、端末は、アクティブ化された後にＳＲへ応答しない基地局に合わせて、上りのＳＰＳサービスの不安定やリソースの無駄遣いの問題を解決することができる。
【０２０５】
好ましくは、前記情報送信モジュールは、さらに、上りのセミパーシステントスケジューリングが非アクティブ化された後、前記基地局が前記上りのスケジューリング要求に応答して前記端末に割り当てたリソースを介して、前記端末のバッファステータスレポートを前記基地局に送信するように構成される。
【０２０６】
好ましくは、前記情報送信モジュールは、上りのセミパーシステントスケジューリング周期点で、バッファステータスレポートを、アップロードされるサービスデータパケットを介して基地局に送信するように構成される。
【０２０７】
本実施例の端末において、上述したモジュールの機能、例えば、要求モジュールと情報送信モジュールの機能を実現することは、機能プログラムコマンドに関連するハードウェアにより完成することができる。機能プログラムを端末の読み出し可能な記憶媒体に記憶することができ、端末におけるプロセッサは、記憶媒体におけるプログラムコマンドを呼び出して上述したモジュールの機能を実現する。例えば、プロセッサは、メモリにおけるプログラムを呼び出して、上りのセミパーシステントスケジューリングがアクティブ化された後、基地局への上りのスケジューリング要求の送信を停止する機能を実行する（他のモジュールの機能を、これに類似して実現するため、ここではその説明を省略する）。本実施例における記憶媒体は、ＲＯＭ、ＲＡＭ、磁気ディスク又は光ディスクなど、プログラムコマンドを記憶可能な様々な媒体を含む。
【０２０８】
（実施例１１）
図１７に示すように、本実施例にて上りのセミパーシステントスケジューリングに適用され、端末と、基地局と、を備えるスケジューリングシステムが提供される。
【０２０９】
前記端末は、要求モジュールと、情報送信モジュールと、を含み、
前記基地局は、要求応答モジュールと、情報取得モジュールと、スケジューリングモジュールと、を含み、
前記要求モジュールは、上りのセミパーシステントスケジューリングがアクティブ化された後、基地局に対して上りのスケジューリング要求を行うように構成され、
前記要求応答モジュールは、前記端末による上りのスケジューリング要求への応答を拒否するように構成され、
前記情報送信モジュールは、上りのセミパーシステントスケジューリング周期点で、前記端末のバッファステータスレポートを基地局に送信するように構成され、
前記情報取得モジュールは、前記端末から送信されたバッファステータスレポートを取得するように構成され、
前記スケジューリングモジュールは、取得したバッファステータスレポートに基づいて、前記端末のサービスについてダイナミックスケジューリングを行うように構成される。
【０２１０】
本実施例のスケジューリングシステムは、上りのＳＰＳがアクティブ化された後、ＳＲ応答によるＢＳＲの取得をしないようにすることができ、これにより、上りのセミパーシステントスケジューリング周期点でない周期点でＳＲ応答を行うことに起因して、ＵＥが空となるデータパケットを送信する問題を回避し、上りのセミパーシステントスケジューリングサービスの安定性を向上させ、また、上りのセミパーシステントスケジューリングがアクティブ化された後、ＳＲ応答を行わなくなるため、システムのリソースを節約することができる。本発明のシステムは、従来に比べ、上りのセミパーシステントスケジューリングサービスの品質を向上させている。
【０２１１】
好ましくは、前記要求応答モジュールは、さらに、上りのセミパーシステントスケジューリングが非アクティブ化された後、前記基地局が、前記端末による上りのスケジューリング要求への応答に復帰し、前記端末にリソースを割り当てるように構成され、前記情報送信モジュールは、さらに、前記端末のバッファステータスレポートを、前記リソースを介して前記基地局に送信するように構成される。
【０２１２】
好ましくは、前記情報送信モジュールは、上りのセミパーシステントスケジューリング周期点で、前記端末のバッファステータスレポートを、該周期点でアップロードされるサービスデータパケットを介して基地局に送信するように構成される。
【０２１３】
図１８に示すように、本実施例にて端末と、基地局と、を備える他のスケジューリングシステムがさらに提供される。
【０２１４】
前記端末は、要求モジュールと、情報送信モジュールと、を含み、
前記基地局は、情報取得モジュールと、スケジューリングモジュールと、を含み、
前記要求モジュールは、上りのセミパーシステントスケジューリングがアクティブ化された後、前記基地局への上りのスケジューリング要求の送信を停止するように構成され、
前記情報送信モジュールは、上りのセミパーシステントスケジューリング周期点で、前記端末のバッファステータスレポートを基地局に送信するように構成され、
前記情報取得モジュールは、前記端末から送信されたバッファステータスレポートを取得するように構成され、
前記スケジューリングモジュールは、取得したバッファステータスレポートに基づいて、前記端末のサービスについてダイナミックスケジューリングを行うように構成される。
【０２１５】
さらに、図１８に示すシステムに基づいて、図１７を参照し、基地局は、要求応答モジュールをさらに含んでもよく、
前記要求モジュールは、さらに、上りのセミパーシステントスケジューリングが非アクティブ化された後、前記基地局への上りのスケジューリング要求の送信に復帰するように構成され、
前記要求応答モジュールは、前記上りのスケジューリング要求に応答し、前記端末にリソースを割り当てるように構成され、
前記情報送信モジュールは、さらに、前記リソースを介して前記端末のバッファステータスレポートを基地局に送信するように構成される。
【０２１６】
好ましくは、前記情報送信モジュールは、上りのセミパーシステントスケジューリング周期点で、前記端末のバッファステータスレポートを、該周期点でアップロードされるサービスデータパケットを介して基地局に送信するように構成される。
【０２１７】
本実施例のシステムの端末において、上述した端末におけるモジュールの機能、例えば、要求モジュールと情報送信モジュールの機能を実現することは、機能プログラムコマンドに関連するハードウェアにより完成することができる。機能プログラムを端末の読み出し可能な記憶媒体に記憶することができ、端末におけるプロセッサは、記憶媒体におけるプログラムコマンドを呼び出して上述したモジュールの機能を実現する。例えば、プロセッサは、メモリにおけるプログラムを呼び出して、上りのセミパーシステントスケジューリングがアクティブ化された後、基地局への上りのスケジューリング要求の送信を停止する機能を実行する（他のモジュールの機能を、これに類似して実現するため、ここではその説明を省略する）。本実施例における記憶媒体は、ＲＯＭ、ＲＡＭ、磁気ディスク又は光ディスクなど、プログラムコマンドを記憶可能な様々な媒体を含む。
【０２１８】
本実施例のシステムの基地局において、上述したモジュールの機能、例えば、要求応答モジュール、情報取得モジュール、及びスケジューリングモジュールの機能を実現することは、機能プログラムコマンドに関連するハードウェアにより完成することができる。プログラムを基地局の読み出し可能な記憶媒体に記憶することができ、基地局におけるプロセッサは、記憶媒体におけるプログラムコマンドを呼び出して上述したモジュールの機能を実現する。例えば、プロセッサは、メモリにおけるプログラムを呼び出して、上りのセミパーシステントスケジューリングがアクティブ化された後、端末による上りのスケジューリング要求への応答を拒否する機能を実行する（他のモジュールの機能を、これに類似して実現するため、ここではその説明を省略する）。本実施例における記憶媒体は、ＲＯＭ、ＲＡＭ、磁気ディスク又は光ディスクなど、プログラムコマンドを記憶可能な様々な媒体を含む。
【０２１９】
本実施例のスケジューリングシステムは、上りのセミパーシステントスケジューリングがアクティブ化された後、上りのセミパーシステントスケジューリング周期点で、ＢＳＲを、基地局にダイナミックスケジューリングを行わせるように送信することにより、上りのセミパーシステントスケジューリング周期点でない周期点でＳＲ応答を行うことに起因して、ＵＥが空となるデータパケットを送信する問題を回避し、上りのセミパーシステントスケジューリングサービスの安定性を向上させ、また、上りのセミパーシステントスケジューリングがアクティブ化された後、ＳＲ応答を行わなくなるため、システムのリソースを節約することができる。従来に比べ、上りのセミパーシステントスケジューリングサービスの品質を向上させている。
【０２２０】
以上の内容は、具体的な実施形態を結合して本発明をさらに詳しく説明したものであり、本発明の具体的な実施はこれら説明したもののみに限定されると理解してはならない。当業者にとって、本発明の精神から逸脱しない前提において若干のシンプルな推論や置換えも可能であり、これら推論や置換えも、すべて本発明の保護範囲内に含まれるべきである。
【産業上の利用可能性】
【０２２１】
上述したように、本発明の実施例で提供されるスケジューリング方法及びシステム、端末、送信方法、基地局及びそのスケジューリング方法によると、上りのセミパーシステントスケジューリング周期点でない周期点でＳＲ応答を行うことに起因して、ＵＥが空となるデータパケットを送信する問題を回避し、上りのセミパーシステントスケジューリングサービスの安定性を向上させ、また、上りのセミパーシステントスケジューリングがアクティブ化された後、ＳＲ応答を行わなくなるため、システムのリソースを節約することができるといった有益な効果を有する。従来に比べ、上りのセミパーシステントスケジューリングサービスの品質を向上させている。
【図１】
2017520962.tif 000003
【図２】
2017520962.tif 000004
【図３】
2017520962.tif 000005
【図４】
2017520962.tif 000006
【図５】
2017520962.tif 000007
【図６】
2017520962.tif 000008
【図７】
2017520962.tif 000009
【図８】
2017520962.tif 000010
【図９】
2017520962.tif 000011
【図１０】
2017520962.tif 000012
【図１１】
2017520962.tif 000013
【図１２】
2017520962.tif 000014
【図１３】
2017520962.tif 000015
【図１４】
2017520962.tif 000016
【図１５】
2017520962.tif 000017
【図１６】
2017520962.tif 000018
【図１７】
2017520962.tif 000019
【図１８】
2017520962.tif 000020
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
上りのセミパーシステントスケジューリングがアクティブ化された後、端末による上りのスケジューリング要求への応答を拒否するステップと、
端末が上りのセミパーシステントスケジューリング周期点で送信したバッファステータスレポートを取得するステップと、
前記バッファステータスレポートに基づいて、前記端末のサービスについてダイナミックスケジューリングを行うステップと、
を含む基地局によるスケジューリング方法。
【請求項２】
上りのセミパーシステントスケジューリングが非アクティブ化された後、前記端末による上りのスケジューリング要求への応答に復帰し、前記端末にリソースを割り当てることと、
前記端末が前記リソースを介して送信したバッファステータスレポートを取得することと、
前記端末が前記リソースを介して送信したバッファステータスレポートに基づいて、前記端末のサービスについてダイナミックスケジューリングを行うことと、をさらに含む
請求項１に記載の基地局によるスケジューリング方法。
【請求項３】
端末が上りのセミパーシステントスケジューリング周期点で送信したバッファステータスレポートを取得するステップは、
前記端末が上りのセミパーシステントスケジューリング周期点でアップロードしたサービスデータパケットにより、前記バッファステータスレポートを取得すること、を含む
請求項１又は２に記載の基地局によるスケジューリング方法。
【請求項４】
上りのセミパーシステントスケジューリングがアクティブ化された後、端末が、基地局への上りのスケジューリング要求の送信を停止するステップと、
端末が、上りのセミパーシステントスケジューリング周期点で、前記端末のバッファステータスレポートを基地局に送信するステップと、
を含む送信方法。
【請求項５】
上りのセミパーシステントスケジューリングが非アクティブ化された後、前記端末が、前記基地局への上りのスケジューリング要求の送信に復帰することと、
前記端末が、前記基地局が前記上りのスケジューリング要求に応答して前記端末に割り当てたリソースを介して、前記端末のバッファステータスレポートを前記基地局に送信することと、をさらに含む
請求項４に記載の送信方法。
【請求項６】
端末が、上りのセミパーシステントスケジューリング周期点で、前記端末のバッファステータスレポートを基地局に送信するステップは、
前記端末が、上りのセミパーシステントスケジューリング周期点で、バッファステータスレポートを、アップロードされるサービスデータパケットを介して基地局に送信すること、を含む
請求項４又は５に記載の送信方法。
【請求項７】
上りのセミパーシステントスケジューリングがアクティブ化された後、端末による上りのスケジューリング要求への応答を拒否するように構成される要求応答モジュールと、
端末が上りのセミパーシステントスケジューリング周期点で送信したバッファステータスレポートを取得するように構成される情報取得モジュールと、
前記バッファステータスレポートに基づいて、前記端末のサービスについてダイナミックスケジューリングを行うように構成されるスケジューリングモジュールと、
を備える基地局。
【請求項８】
前記要求応答モジュールは、さらに、上りのセミパーシステントスケジューリングが非アクティブ化された後、前記端末による上りのスケジューリング要求への応答に復帰し、前記端末にリソースを割り当てるように構成され、
前記情報取得モジュールは、さらに、前記端末が前記リソースを介して送信したバッファステータスレポートを取得するように構成され、
前記スケジューリングモジュールは、さらに、前記端末が前記リソースを介して送信したバッファステータスレポートに基づいて、前記端末のサービスについてダイナミックスケジューリングを行うように構成される
請求項７に記載の基地局。
【請求項９】
前記情報取得モジュールは、前記端末が上りのセミパーシステントスケジューリング周期点でアップロードしたサービスデータパケットにより、前記バッファステータスレポートを取得するように構成される
請求項７又は８に記載の基地局。
【請求項１０】
上りのセミパーシステントスケジューリングがアクティブ化された後、基地局への上りのスケジューリング要求の送信を停止するように構成される要求モジュールと、
上りのセミパーシステントスケジューリング周期点で、バッファステータスレポートを基地局に送信するように構成される情報送信モジュールと、
を備える端末。
【請求項１１】
前記要求モジュールは、さらに、上りのセミパーシステントスケジューリングが非アクティブ化された後、前記基地局への上りのスケジューリング要求の送信に復帰するように構成され、
前記情報送信モジュールは、さらに、前記基地局が前記上りのスケジューリング要求に応答して前記端末に割り当てたリソースを介して、前記端末のバッファステータスレポートを前記基地局に送信するように構成される
請求項１０に記載の端末。
【請求項１２】
前記情報送信モジュールは、上りのセミパーシステントスケジューリング周期点で、バッファステータスレポートを、アップロードされるサービスデータパケットを介して基地局に送信するように構成される
請求項１０又は１１に記載の端末。
【請求項１３】
端末と、基地局とを備え、
前記端末は、
上りのセミパーシステントスケジューリングがアクティブ化された後、前記基地局への上りのスケジューリング要求の送信を停止するように構成される要求モジュールと、
上りのセミパーシステントスケジューリング周期点で、前記端末のバッファステータスレポートを基地局に送信するように構成される情報送信モジュールと、を含み、
前記基地局は、
前記端末から送信されたバッファステータスレポートを取得するように構成される情報取得モジュールと、
取得したバッファステータスレポートに基づいて、前記端末のサービスについてダイナミックスケジューリングを行うように構成されるスケジューリングモジュールと、を含む
スケジューリングシステム。
【請求項１４】
前記基地局は、要求応答モジュールをさらに含み、
前記要求モジュールは、さらに、上りのセミパーシステントスケジューリングが非アクティブ化された後、前記基地局への上りのスケジューリング要求の送信に復帰するように構成され、
前記要求応答モジュールは、前記上りのスケジューリング要求に応答し、前記端末にリソースを割り当てるように構成され、
前記情報送信モジュールは、さらに、前記リソースを介して前記端末のバッファステータスレポートを基地局に送信するように構成される
請求項１３に記載のスケジューリングシステム。
【請求項１５】
前記情報送信モジュールは、上りのセミパーシステントスケジューリング周期点で、前記端末のバッファステータスレポートを、該周期点でアップロードされるサービスデータパケットを介して基地局に送信するように構成される
請求項１３又は１４に記載のスケジューリングシステム。
【国際調査報告】
2017520962.tif 000021
2017520962.tif 000022
2017520962.tif 000023
2017520962.tif 000024